(57)【要約】    【課題】映像音声記録再生装置において、映像や音声の記録中に電力供給が停止した場合または残り電力量がわずかになった場合、映像音声の管理情報の保持または書き込みを、より少ない電力量と時間で実現する。    【解決手段】映像や音声の記録中に電力供給が停止した場合または残り電力量がわずかになった場合、リカバリするために必要な最小限の管理情報を選択して、必要ならば圧縮して、メモリに保持またはディスク上の一箇所にまとめて記録し、電力供給回復時に管理情報を再生成し、正規の位置に記録し直す。    【選択図】  図１
2007004971.tif 000002
【特許請求の範囲】
【請求項１】
ＡＶ信号およびＡＶ信号の記録アドレスやエントリやデータサイズなどの管理情報をディスク状の記録媒体に記録または再生する映像音声記録再生手段と、管理情報を格納するデータ格納手段と、装置全体に電力を供給する主電源と、該主電源が電力供給できなくなったときに電力を供給する予備電源と、該映像音声記録再生手段と該データ格納手段と該主電源と該予備電源を制御するシステム制御手段を備え、該映像音声記録再生手段でＡＶ信号を記録中に、該主電源が電力を供給できなくなった時点で、該予備電源から電力を供給し、該ＡＶ信号の管理情報のうちデータサイズを選択して、一時的に該データ格納手段に書き込むように、該システム制御手段が制御することを特徴とする映像音声記録再生装置。
【請求項２】
ＡＶ信号およびＡＶ信号の記録アドレスやエントリやデータサイズなどの管理情報をディスク状の記録媒体に記録または再生する映像音声記録再生手段と、管理情報を格納するデータ格納手段と、装置全体に電力を供給する主電源と、該主電源が電力供給できなくなったときに電力を供給する予備
電源と、該映像音声記録再生手段と該データ格納手段と該主電源と該予備電源を制御するシステム制御手段を備え、該映像音声記録再生手段でＡＶ信号を記録中に、該主電源が電力を供給できなくなった時点で、該予備電源から電力を供給し、該ＡＶ信号の管理情報のうちエントリを選択して、一時的に該データ格納手段に書き込むように、該システム制御手段が制御することを特徴とする映像音声記録再生装置。
【請求項３】
ＡＶ信号およびＡＶ信号の記録アドレスやエントリやデータサイズなどの管理情報をディスク状の記録媒体に記録または再生する映像音声記録再生手段と、装置全体に電力を供給する主電源と、該主電源が電力供給できなくなったときに電力を供給する予備電源と、該映像音声記録再生手段と該主電源と該予備電源を制御するシステム制御手段を備え、該映像音声記録再生手段でＡＶ信号を記録中に、該主電源が電力を供給できなくなった時点で、該予備電源から電力を供給し、自動的に該ＡＶ信号の記録を停止し、最後に記録した該ＡＶ信号の管理情報のうちエントリを、該ＡＶ信号に引き続き、該記録媒体上の記録停止位置から最も近い領域に、該映像音声記録再生手段が記録するように、該システム制御手段が制御することを特徴とする映像音声記録再生装置。
【請求項４】
ＡＶ信号およびＡＶ信号の記録アドレスやエントリやデータサイズなどの管理情報をディスク状の記録媒体に記録または再生する映像音声記録再生手段と、管理情報を格納するデータ格納手段と、装置全体に電力を供給するバッテリと、該バッテリの残り電力量を検出する電源制御手段と、該映像音声記録再生手段と該データ格納手段と該主電源と該電源制御手段を制御するシステム制御手段を備え、該映像音声記録再生手段でＡＶ信号を記録中に、該バッテリの残り電力量が、該ＡＶ信号の管理情報のうち少なくともデータサイズを含む必要最小限の管理情報を記録するために必要な電力量まで減少したことを、該電源制御手段が検出した時点で、該ＡＶ信号の管理情報のうちデータサイズを選択して、一時的に該データ格納手段に書き込むように、該システム制御手段が制御することを特徴とする映像音声記録再生装置。
【請求項５】
ＡＶ信号およびＡＶ信号の記録アドレスやエントリやデータサイズなどの管理情報をディスク状の記録媒体に記録または再生する映像音声記録再生手段と、管理情報を格納するデータ格納手段と、装置全体に電力を供給するバッテリと、該バッテリの残り電力量を検出する電源制御手段と、該データ格納手段に格納された管理情報をバックアップする予備電源と、該映像音声記録再生手段と該データ格納手段と該バッテリと該電源制御手段と該予備電源を制御するシステム制御手段を備え、該映像音声記録再生手段でＡＶ信号を記録中に、該バッテリの残り電力量が、該ＡＶ信号の管理情報のうち少なくともデータサイズを含む必要最小限の管理情報を記録するために必要な電力量まで減少したことを、該電源制御手段が検出した時点で、該ＡＶ信号の管理情報のうちデータサイズを選択して、一時的に該データ格納手段に書き込み、該予備電源でバックアップするように、該システム制御手段が制御することを特徴とする映像音声記録再生装置。
【請求項６】
ＡＶ信号およびＡＶ信号の記録アドレスやエントリやデータサイズなどの管理情報をディスク状の記録媒体に記録または再生する映像音声記録再生手段と、管理情報を格納するデータ格納手段と、装置全体に電力を供給するバッテリと、該バッテリの残り電力量を検出する電源制御手段と、該映像音声記録再生手段と該データ格納手段と該バッテリと該電源制御手段を制御するシステム制御手段を備え、該映像音声記録再生手段でＡＶ信号を記録中に、該バッテリの残り電力量が、該ＡＶ信号の管理情報のうち少なくともエントリを含む必要最小限の管理情報を記録するために必要な電力量まで減少したことを、該電源制御手段が検出した時点で、該ＡＶ信号の管理情報のうちエントリを選択して、一時的に該データ格納手段に書き込むように、該システム制御手段が制御することを特徴とする映像音声記録再生装置。
【請求項７】
ＡＶ信号およびＡＶ信号の記録アドレスやエントリやデータサイズなどの管理情報をディスク状の記録媒体に記録または再生する映像音声記録再生手段と、管理情報を格納するデータ格納手段と、装置全体に電力を供給するバッテリと、該バッテリの残り電力量を検出する電源制御手段と、該データ格納手段に格納された管理情報をバックアップする予備電源と、該映像音声記録再生手段と該データ格納手段と該バッテリと該電源制御手段と該予備電源を制御するシステム制御手段を備え、該映像音声記録再生手段でＡＶ信号を記録中に、該バッテリの残り電力量が、該ＡＶ信号の管理情報のうち少なくともエントリを含む必要最小限の管理情報を記録するために必要な電力量まで減少したことを、該電源制御手段が検出した時点で、該ＡＶ信号の管理情報のうちエントリを選択して、一時的に該データ格納手段に書き込み、該予備電源でバックアップするように、該システム制御手段が制御することを特徴とする映像音声記録再生装置。
【請求項８】
ＡＶ信号およびＡＶ信号の記録アドレスやエントリやデータサイズなどの管理情報をディスク状の記録媒体に記録または再生する映像音声記録再生手段と、装置全体に電力を供給するバッテリと、該バッテリの残り電力量を検出する電源制御手段と、該映像音声記録再生手段と該バッテリと該電源制御手段を制御するシステム制御手段を備え、該映像音声記録再生手段でＡＶ信号を記録中に、該バッテリの残り電力量が、該ＡＶ信号の管理情報のうち少なくともエントリを含む必要最小限の管理情報を記録するために必要な電力量まで減少したことを、該電源制御手段が検出した時点で、自動的に該ＡＶ信号の記録を停止し、最後に記録した該ＡＶ信号の管理情報のうちエントリを、該ＡＶ信号に引き続き、該記録媒体上の記録停止位置から最も近い領域に、該映像音声記録再生手段が記録するように、該システム制御手段が制御することを特徴とする映像音声記録再生装置。
【請求項９】
請求項１に記載の映像音声記録再生装置において、信号を圧縮する信号圧縮手段を備え、該信号圧縮手段が前記データサイズを信号圧縮してから、一時的に前記データ格納手段に書き込むように、前記システム制御手段が制御することを特徴とする映像音声記録再生装置。
【請求項１０】
請求項４または請求項５に記載の映像音声記録再生装置において、信号を圧縮する信号圧縮手段を備え、該信号圧縮手段が前記データサイズを信号圧縮してから、一時的に前記データ格納手段に書き込むように、前記システム制御手段が制御することを特徴とする映像音声記録再生装置。
【請求項１１】
請求項２に記載の映像音声記録再生装置において、信号を圧縮する信号圧縮手段を備え、該信号圧縮手段が前記エントリを信号圧縮してから、一時的に前記データ格納手段に書き込むように、前記システム制御手段が制御することを特徴とする映像音声記録再生装置。
【請求項１２】
請求項３に記載の映像音声記録再生装置において、信号を圧縮する信号圧縮手段を備え、該信号圧縮手段が前記エントリを信号圧縮してから、一時的に前記記録媒体に書き込むように、前記システム制御手段が制御することを特徴とする映像音声記録再生装置。
【請求項１３】
請求項６または請求項７に記載の映像音声記録再生装置において、信号を圧縮する信号圧縮手段を備え、該信号圧縮手段が前記エントリを信号圧縮してから、一時的に前記データ格納手段に書き込むように、前記システム制御手段が制御することを特徴とする映像音声記録再生装置。
【請求項１４】
請求項８に記載の映像音声記録再生装置において、信号を圧縮する信号圧縮手段を備え、該信号圧縮手段が前記エントリを信号圧縮してから、一時的に前記記録媒体に書き込むように、前記システム制御手段が制御することを特徴とする映像音声記録再生装置。
【請求項１５】
請求項１または請求項２に記載の映像音声記録再生装置において、前記主電源が電力を供給できる状態に回復した後に、前記データ格納手段に保持された必要最小限の管理情報を基に、正規の管理情報を再生成し、前記映像音声記録再生手段が正規の位置に該正規管理情報を記録するリカバリを行うことを特徴とする映像音声記録再生装置。
【請求項１６】
請求項３に記載の映像音声記録再生装置において、前記主電源が電力を供給できる状態に回復した後に、前記記録媒体に記録された必要最小限の管理情報を基に、正規の管理情報を再生成し、前記映像音声記録再生手段が正規の位置に該正規管理情報を記録するリカバリを行うことを特徴とする映像音声記録再生装置。
【請求項１７】
請求項４または請求項５または請求項６または請求項７に記載の映像音声記録再生装置において、前記バッテリが電力を供給できる状態に回復した後に、前記データ格納手段に保持された必要最小限の管理情報を基に、正規の管理情報を再生成し、前記映像音声記録再生手段が正規の位置に該正規管理情報を記録するリカバリを行うことを特徴とする映像音声記録再生装置。
【請求項１８】
請求項８に記載の映像音声記録再生装置において、前記バッテリが電力を供給できる状態に回復した後に、前記記録媒体に記録された必要最小限の管理情報を基に、正規の管理情報を再生成し、前記映像音声記録再生手段が正規の位置に該正規管理情報を記録するリカバリを行うことを特徴とする映像音声記録再生装置。
【請求項１９】
請求項９に記載の映像音声記録再生装置において、圧縮された信号を伸長する信号伸長手段を備え、前記主電源が電力を供給できる状態に回復した後に、前記データ格納手段に保持された必要最小限の管理情報を、該信号伸長手段で伸長し、伸長した管理情報を基に正規の管理情報を再生成し、前記映像音声記録再生手段が正規の位置に該正規管理情報を記録するリカバリを行うことを特徴とする映像音声記録再生装置。
【請求項２０】
請求項１０に記載の映像音声記録再生装置において、圧縮された信号を伸長する信号伸長手段を備え、前記バッテリが電力を供給できる状態に回復した後に、前記データ格納手段に保持された必要最小限の管理情報を、該信号伸長手段で伸長し、伸長した管理情報を基に正規の管理情報を再生成し、前記映像音声記録再生手段が正規の位置に該正規管理情報を記録するリカバリを行うことを特徴とする映像音声記録再生装置。
【請求項２１】
請求項１１に記載の映像音声記録再生装置において、圧縮された信号を伸長する信号伸長手段を備え、前記主電源が電力を供給できる状態に回復した後に、前記データ格納手段に保持された必要最小限の管理情報を、該信号伸長手段で伸長し、伸長した管理情報を基に正規の管理情報を再生成し、前記映像音声記録再生手段が正規の位置に該正規管理情報を記録するリカバリを行うことを特徴とする映像音声記録再生装置。
【請求項２２】
請求項１２に記載の映像音声記録再生装置において、圧縮された信号を伸長する信号伸長手段を備え、前記主電源が電力を供給できる状態に回復した後に、前記記録媒体に記録された必要最小限の管理情報を、該信号伸長手段で伸長し、伸長した管理情報を基に正規の管理情報を再生成し、前記映像音声記録再生手段が正規の位置に該正規管理情報を記録するリカバリを行うことを特徴とする映像音声記録再生装置。
【請求項２３】
請求項１３に記載の映像音声記録再生装置において、圧縮された信号を伸長する信号伸長手段を備え、前記バッテリが電力を供給できる状態に回復した後に、前記データ格納手段に保持された必要最小限の管理情報を、該信号伸長手段で伸長し、伸長した管理情報を基に正規の管理情報を再生成し、前記映像音声記録再生手段が正規の位置に該正規管理情報を記録するリカバリを行うことを特徴とする映像音声記録再生装置。
【請求項２４】
請求項１４に記載の映像音声記録再生装置において、圧縮された信号を伸長する信号伸長手段を備え、前記バッテリが電力を供給できる状態に回復した後に、前記記録媒体に記録された必要最小限の管理情報を、該信号伸長手段で伸長し、伸長した管理情報を基に正規の管理情報を再生成し、前記映像音声記録再生手段が正規の位置に該正規管理情報を記録するリカバリを行うことを特徴とする映像音声記録再生装置。
【請求項２５】
請求項１５または請求項１６または請求項１９または請求項２１または請求項２２に記載の映像音声記録再生装置において、前記主電源が電力を供給できる状態に回復したことを、前記電源制御手段が検出した後に、リカバリを行うか、リカバリを行わないかを選択できることを特徴とする映像音声記録再生装置。
【請求項２６】
請求項１７または請求項１８または請求項２０または請求項２３または請求項２４に記載の映像音声記録再生装置において、少なくとも、正規の管理情報を記録するのに必要な電力量以上に、前記バッテリの残り電力量が回復したことを、前記電源制御手段が検出した後に、リカバリを行うか、リカバリを行わないかを選択できることを特徴とする映像音声記録再生装置。
【請求項２７】
請求項４または請求項５または請求項６または請求項７または請求項８または請求項１０または請求項１３または請求項１４に記載の映像音声記録再生装置において、電力供給先を切り換える電力供給先選択手段を備え、前記映像音声記録再生手段でＡＶ信号を記録中に、前記ＡＶ信号の管理情報のうち必要最小限の管理情報を記録するために必要な電力量まで、前記バッテリの残り電力量が減少したことを、前記電源制御手段が検出した時点で、少なくとも前記信号入力手段への電力供給を停止し、かつ、少なくとも前記システム制御手段への電力供給を継続するよう、電力供給先を該電力供給先選択手段が切り換える事を特徴とする映像音声記録再生装置。
【請求項２８】
請求項１５または請求項１６または請求項１７または請求項１８または請求項１９または請求項２０または請求項２１または請求項２２または請求項２３または請求項２４に記載の映像音声記録再生装置において、前記記録媒体の取り出しを制御する記録媒体取り出し制御手段を備え、少なくとも前記必要最小限の管理情報のリカバリを行った後に、前記映像音声記録再生手段から前記記録媒体を取り出す事が可能となるように、該記録媒体取り出し制御手段を前記システム制御手段が制御することを特徴とする映像音声記録再生装置。
【請求項２９】
請求項１または請求項２または請求項４または請求項５または請求項６または請求項７に記載の映像音声記録再生装置において、前記記録媒体のＩＤ情報や最終記録日時などの記録媒体情報を、一時的に前記データ格納手段に書き込むように、前記システム制御手段が制御することを特徴とする映像音声記録再生装置。
【請求項３０】
請求項３または請求項８に記載の映像音声記録再生装置において、管理情報を格納するデータ格納手段を備え、前記記録媒体のＩＤ情報や最終記録日時などの記録媒体情報を、一時的に該データ格納手段に書き込むように、前記システム制御手段が制御することを特徴とする映像音声記録再生装置。
【請求項３１】
請求項２９および請求項３０に記載の映像音声記録再生装置において、前記データ格納手段に書き込んだ第１の記録媒体情報と、前記映像音声記録再生手段で記録再生する記録媒体の第２の記録媒体情報が一致すれば、リカバリを行うように、前記システム制御手段が制御することを特徴とする映像音声記録再生装置。
【発明の詳細な説明】
【技術分野】
【０００１】
本発明は、ＡＶ信号を記録媒体に記録再生する映像音声記録再生装置に係り、特にＡＶ信号の管理情報を、記録媒体に記録する映像音声記録再生装置に関する。
【背景技術】
【０００２】
本発明において、ＡＶ信号とは、映像信号、または音声信号、または映像信号と音声信号の両方、のいずれかを意味するものとする。例えば、映像信号や音声信号をＭＰＥＧ圧縮したＭＰＥＧストリームなどである。
【０００３】
また、記録媒体情報とは、光ディスクなどの記録媒体にＡＶ信号を記録した時、その光ディスクが正常に記録終了したかどうかを示す情報、光ディスクのディスクＩＤまたはディスク名、光ディスクにＡＶ信号を記録した記録装置の記録装置ＩＤまたは記録装置名、最後に光ディスクにＡＶ信号を記録した日時などを意味するものとする。
【０００４】
ＤＶＤなどの光ディスクにＡＶ信号を記録し再生する記録再生装置において、記録時には、まずＡＶ信号をリアルタイムで記録し、ＡＶ信号の記録が終了した後にＡＶ信号の管理情報を記録する。また、再生時には、まずＡＶ信号の管理情報を読み出し、ＡＶ信号の記録位置などを特定し、その記録位置にアクセスし、再生する。
【０００５】
このような記録再生装置において、光ディスクにＡＶ信号を記録中に、電力供給が停止する場合を考える。
【０００６】
電力供給が停止する状況としては、ＡＣ電源を電源として用いて録画している場合は、録画中に電源プラグがコンセントから抜けた場合や、録画中に停電した場合が考えられる。また、バッテリを電源として用いて録画している場合は、録画中にバッテリをはずした場合が考えられる。
【０００７】
光ディスクにＡＶ信号を記録中に、装置に電力が供給されなくなった場合、その時点で記録が停止してしまい、最後に記録したＡＶ信号に対応した管理情報を記録する事ができなくなる。このようにして記録された光ディスクを再生する場合、最後に記録したＡＶ信号を再生しようとしても、そのＡＶ信号に対応した管理情報は記録されておらず、よってＡＶ信号にアクセスするすべがないため、再生することができなかった。
【０００８】
そこで、たとえば、特開平６−３１４４５１号に記載されているように、装置に電力が供給されなくなった場合は、半導体メモリなどに、管理情報を一時的に記録して、管理情報を失ったためにＡＶ信号を再生できなくなるような事態を回避していた。
【０００９】
しかしながら、管理情報のデータ量が大きい場合、管理情報を全て記録するには大きな容量の半導体メモリを要するため、部品のコストが大きくなり、また部品増加の分だけ小型化に不利であるという問題があった。さらに、ＤＲＡＭなどの半導体メモリに多くの情報を保持するためには、それだけ多くの電力量を消費することになり、消費電力量が大きくなるという問題があった。
【００１０】
また、装置全体に電力を供給するバッテリの残り電力量が０になるまでＡＶ信号の記録を続けた場合も、停電した場合と同様に管理情報を書き込む事ができなかった。
【００１１】
そこで、バッテリの残り電力量が減少し一定値を下回ると、録画を自動停止し、管理情報を書き込むことにより、録画したＡＶ信号の管理情報を失い再生できなくなるという事態を回避していた。
【００１２】
しかしながら、管理情報をディスクへ記録する時に、複数回のシークを行う必要がある場合は、シークによって消費される電力量が大きくなり、それだけ多くの電力量を必要とし、結果的に記録できる時間が短くなるという問題があった。
【００１３】
また、その他の対策として、例えば、特開平７−１２１３１１号に記載されているように、所定時間ごとに管理情報を更新する方法が考えられる。
【００１４】
しかしながら、管理情報のデータ量が小さい場合は、記録と並行して管理情報を更新することができるが、管理情報のデータ量が大きい場合や、記録に要する処理量が大きい場合や、記録装置の処理能力がそれほど高くない場合は、リアルタイム記録の処理が間に合わなくなるため、記録と並行して管理情報を更新することができないという問題があった。とくにＡＶ用途のＤＶＤ−ＲＡＭの記録においては、記録時間が長くなるに連れて、管理情報が増大し、この問題が顕著となる。また、ディスク上の複数の領域に連続的に記録するため、記録領域の数が多くなると、たとえアドレスだけ選択して更新する場合でも、更新すべきデータ量が大きくなる。また、管理情報を記録する領域と、ＡＶ信号を記録する領域とが、離れた位置にある場合や、ドライブ自体のシーク速度が遅い場合は、その領域間のシーク時間が大きいため、この問題が顕著となる。
【００１５】
また、たとえば、特開平８−７５３４号に記載されているように、記録開始からの経過時間と、電源がダウンしたことを示すフラグをバックアップする方法が考えられる。
【００１６】
しかしながら、同じ経過時間でも、転送レートが異なれば、データサイズが異なり、経過時間だけから一意的にデータサイズを決定できないため、記録した領域の長さ（あるいは、記録した領域の末尾の位置）を特定することができないという問題があった。例えば、ＡＶ用途のＤＶＤ−ＲＡＭの記録においては、ＭＰＥＧ圧縮の圧縮率を変更することにより、大小様々な転送レートで記録可能であり、また、可変転送レートで記録する場合には、同じストリーム内でも転送レートが異なり、また、ディスク上の複数の領域に連続的に記録する場合があるため、記録時間だけから記録領域を特定することは困難である。
【発明の開示】
【発明が解決しようとする課題】
【００１７】
本発明は、上記した点に鑑みてなされたものであって、その目的とするところは、ＡＶ信号の記録中に主電源が電力を供給できなくなった場合、予備電源を電源として用いて、ＡＶ信号の管理情報のうちデータサイズまたはエントリを選択して、一時的にデータ格納手段に書き込み保持することにより、少ない電力量で必要最小限の管理情報を保持する映像音声記録再生装置を提供する事にある。
【００１８】
本発明のさらに他の目的は、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録することにより、半導体メモリなどのデータ格納手段を用いなくても管理情報を記録することができ、上記のような緊急時のディスクへの管理情報記録を短い時間で完了させることができ、よってこの管理情報記録で消費する電力量を減らすことのできる映像音声記録再生装置を提供する事にある。
【００１９】
本発明のさらに他の目的は、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズまたはエントリを選択して、一時的にデータ格納手段に書き込み保持することにより、少ない電力量で必要最小限の管理情報を保持する映像音声記録再生装置を提供する事にある。
【００２０】
本発明のさらに他の目的は、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録することにより、半導体メモリなどのデータ格納手段を用いなくても管理情報を記録することができ、上記のような緊急時のディスクへの管理情報記録を短い時間で完了させることができ、よってこの管理情報記録で消費する電力量を減らすことのできる映像音声記録再生装置を提供する事にある。
【００２１】
本発明のさらに他の目的は、ＡＶ信号の記録中に主電源が電力を供給できなくなった場合、予備電源を電源として用いて、ＡＶ信号の管理情報のうちデータサイズまたはエントリを選択して、選択した管理情報を信号圧縮したうえで、一時的にデータ格納手段に書き込み保持することにより、データ格納手段の必要容量を減らすことができ、さらに少ない電力量で必要最小限の管理情報を保持する映像音声記録再生装置を提供する事にある。
【００２２】
本発明のさらに他の目的は、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを選択し、選択した管理情報を信号圧縮したうえで、ＡＶ信号に引き続き、記録媒体上の記録停止位置から最も近い領域に、映像音声記録再生手段が記録することにより、半導体メモリなどのデータ格納手段を用いなくても管理情報を記録することができ、上記のような緊急時のディスクへの管理情報記録を短い時間で完了させることができ、よってこの管理情報記録で消費する電力量を減らすことのできる映像音声記録再生装置を提供する事にある。
【００２３】
本発明のさらに他の目的は、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズまたはエントリを選択して、選択した管理情報を信号圧縮したうえで、一時的にデータ格納手段に書き込み保持することにより、データ格納手段の必要容量を減らすことができ、さらに少ない電力量で必要最小限の管理情報を保持する映像音声記録再生装置を提供する事にある。
【００２４】
本発明のさらに他の目的は、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを選択し、選択した管理情報を信号圧縮したうえで、ＡＶ信号に引き続き、記録媒体上の記録停止位置から最も近い領域に、映像音声記録再生手段が記録することにより、半導体メモリなどのデータ格納手段を用いなくても管理情報を記録することができ、上記のような緊急時のディスクへの管理情報記録をさらに短い時間で完了させることができ、よってこの管理情報記録で消費する電力量を減らすことのできる映像音声記録再生装置を提供する事にある。
【００２５】
本発明のさらに他の目的は、主電源が電力を供給できる状態に回復した後に、データ格納手段または記録媒体に保持または記録された必要最小限の管理情報を基に、必要ならば信号伸長を行い、正規の管理情報を再生成し、映像音声記録再生手段が正規の位置に正規管理情報を記録するリカバリを行うことにより、最後に記録したＡＶ信号を再生可能な状態にする映像音声記録再生装置を提供する事にある。
【００２６】
本発明のさらに他の目的は、バッテリが電力を供給できる状態に回復した後に、データ格納手段または記録媒体に保持または記録された必要最小限の管理情報を基に、必要ならば信号伸長を行い、正規の管理情報を再生成し、映像音声記録再生手段が正規の位置に正規管理情報を記録するリカバリを行うことにより、最後に記録したＡＶ信号を再生可能な状態にする映像音声記録再生装置を提供する事にある。
【００２７】
本発明のさらに他の目的は、主電源またはバッテリが電力を供給できる状態に回復した後に、すぐにリカバリを行うか、リカバリを行わないかを選択できる映像音声記録再生装置を提供する事にある。
【００２８】
本発明のさらに他の目的は、ＡＶ信号の記録中に、必要最小限の管理情報を記録するのに必要な電力量まで、バッテリの残り電力量が減少したことを、電源制御手段が検出した場合、少なくとも信号入力手段への電力供給を停止し、かつ、少なくともシステム制御手段への電力供給を継続することにより、より少ない電力で管理情報を保持または記録し、節約した電力により、より長い時間記録できる映像音声記録再生装置を提供する事にある。
【００２９】
本発明のさらに他の目的は、少なくとも必要最小限の管理情報のリカバリを行った後に、映像音声記録再生手段から記録媒体を取り出す事を可能にすることにより、リカバリを行う前に、誤って最後に記録したＡＶ信号に上書きしてしまうことのない映像音声記録再生装置を提供する事にある。
【００３０】
本発明のさらに他の目的は、記録媒体の記録状態を表す記録媒体情報を、一時的にデータ格納手段に保持するにより、記録媒体を取り出し他の記録装置で追加記録や上書き記録を行ったことを、容易に検出できる映像音声記録再生装置を提供する事にある。
【００３１】
本発明のさらに他の目的は、保持した記録媒体情報と記録媒体の記録状態が一致すれば、リカバリを行うようにすることにより、リカバリ前に記録媒体を取り出し、再度記録媒体をセットした場合にも、その記録媒体をリカバリすることができるか否かを容易に判断し、リカバリを行うことのできる映像音声記録再生装置を提供する事にある。
【課題を解決するための手段】
【００３２】
第１の本発明の映像音声記録再生装置は、映像音声記録再生手段と、データ格納手段と、主電源と、予備電源と、システム制御手段を備え、ＡＶ信号の記録中に主電源が電力を供給できなくなった場合、予備電源を電源として用いて、ＡＶ信号の管理情報のうちデータサイズを選択して、一時的にデータ格納手段に書き込み保持するようにシステム制御手段が制御するようになしたものである。
【００３３】
第２の本発明の映像音声記録再生装置は、映像音声記録再生手段と、データ格納手段と、主電源と、予備電源と、システム制御手段を備え、映像音声記録再生手段でＡＶ信号を記録中に、主電源が電力を供給できなくなった時点で、予備電源から電力を供給し、ＡＶ信号の管理情報のうちエントリを選択して、一時的にデータ格納手段に書き込むように、システム制御手段が制御するようになしたものである。
【００３４】
第３の本発明の映像音声記録再生装置は、映像音声記録再生手段と、主電源と、予備電源と、システム制御手段を備え、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録するように、システム制御手段が制御するようになしたものである。
【００３５】
第４の本発明の映像音声記録再生装置は、映像音声記録再生手段と、データ格納手段と、バッテリと、電源制御手段と、システム制御手段を備え、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズを選択して、一時的にデータ格納手段に書き込むように、システム制御手段が制御するようになしたものである。
【００３６】
第５の本発明の映像音声記録再生装置は、映像音声記録再生手段と、データ格納手段と、バッテリと、電源制御手段と、予備電源と、システム制御手段を備え、映像音声記録再生手段でＡＶ信号を記録中に、バッテリの残り電力量が、ＡＶ信号の管理情報のうち少なくともデータサイズを含む必要最小限の管理情報を記録するために必要な電力量まで減少したことを、電源制御手段が検出した時点で、ＡＶ信号の管理情報のうちデータサイズを選択して、一時的にデータ格納手段に書き込み、予備電源でバックアップするように、システム制御手段が制御するようになしたものである。
【００３７】
第６の本発明の映像音声記録再生装置は、映像音声記録再生手段と、データ格納手段と、バッテリと、電源制御手段と、システム制御手段を備え、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちエントリを選択して、一時的にデータ格納手段に書き込むように、システム制御手段が制御するようになしたものである。
【００３８】
第７の本発明の映像音声記録再生装置は、映像音声記録再生手段と、データ格納手段と、バッテリと、電源制御手段と、予備電源と、システム制御手段を備え、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちエントリを選択して、一時的にデータ格納手段に書き込み、予備電源でバックアップするように、システム制御手段が制御するようになしたものである。
【００３９】
第８の本発明の映像音声記録再生装置は、映像音声記録再生手段と、バッテリと、電源制御手段と、システム制御手段を備え、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録するように、システム制御手段が制御するようになしたものである。
【００４０】
第９の本発明の映像音声記録再生装置は、第１の本発明の映像音声記録再生装置において、信号圧縮手段を備え、信号圧縮手段がデータサイズを信号圧縮してから、一時的にデータ格納手段に書き込むように、システム制御手段が制御するようになしたものである。
【００４１】
第１０の本発明の映像音声記録再生装置は、第４または第５の本発明の映像音声記録再生装置において、信号圧縮手段を備え、信号圧縮手段がデータサイズを信号圧縮してから、一時的にデータ格納手段に書き込むように、システム制御手段が制御するようになしたものである。
【００４２】
第１１の本発明の映像音声記録再生装置は、第２の本発明の映像音声記録再生装置において、信号圧縮手段を備え、信号圧縮手段がエントリを信号圧縮してから、一時的にデータ格納手段に書き込むように、システム制御手段が制御するようになしたものである。
【００４３】
第１２の本発明の映像音声記録再生装置は、第３の本発明の映像音声記録再生装置において、信号圧縮手段を備え、信号圧縮手段がエントリを信号圧縮してから、一時的に記録媒体に書き込むように、システム制御手段が制御するようになしたものである。
【００４４】
第１３の本発明の映像音声記録再生装置は、第６または第７の本発明の映像音声記録再生装置において、信号圧縮手段を備え、信号圧縮手段がエントリを信号圧縮してから、一時的にデータ格納手段に書き込むように、システム制御手段が制御するようになしたものである。
【００４５】
第１４の本発明の映像音声記録再生装置は、第８の本発明の映像音声記録再生装置において、信号圧縮手段を備え、信号圧縮手段がエントリを信号圧縮してから、一時的に記録媒体に書き込むように、システム制御手段が制御するようになしたものである。
【００４６】
第１５の本発明の映像音声記録再生装置は、第１または第２の本発明の映像音声記録再生装置において、主電源が電力を供給できる状態に回復した後に、データ格納手段に保持された必要最小限の管理情報を基に、正規の管理情報を再生成し、映像音声記録再生手段が正規の位置に正規管理情報を記録するリカバリを行うようになしたものである。
【００４７】
第１６の本発明の映像音声記録再生装置は、第３の本発明の映像音声記録再生装置において、主電源が電力を供給できる状態に回復した後に、記録媒体に記録された必要最小限の管理情報を基に、正規の管理情報を再生成し、映像音声記録再生手段が正規の位置に正規管理情報を記録するリカバリを行うようになしたものである。
【００４８】
第１７の本発明の映像音声記録再生装置は、第４または第５または第６または第７の本発明の映像音声記録再生装置において、バッテリが電力を供給できる状態に回復した後に、データ格納手段に保持された必要最小限の管理情報を基に、正規の管理情報を再生成し、映像音声記録再生手段が正規の位置に正規管理情報を記録するリカバリを行うようになしたものである。
【００４９】
第１８の本発明の映像音声記録再生装置は、第８の本発明の映像音声記録再生装置において、バッテリが電力を供給できる状態に回復した後に、記録媒体に記録された必要最小限の管理情報を基に、正規の管理情報を再生成し、映像音声記録再生手段が正規の位置に正規管理情報を記録するリカバリを行うようになしたものである。
【００５０】
第１９の本発明の映像音声記録再生装置は、第９の本発明の映像音声記録再生装置において、信号伸長手段を備え、主電源が電力を供給できる状態に回復した後に、データ格納手段に格納された必要最小限の管理情報を、信号伸長手段で伸長し、伸長した信号を基に、正規の管理情報を再生成し、映像音声記録再生手段が正規の位置に正規管理情報を記録するリカバリを行うようになしたものである。
【００５１】
第２０の本発明の映像音声記録再生装置は、第１０の本発明の映像音声記録再生装置において、信号伸長手段を備え、バッテリが電力を供給できる状態に回復した後に、データ格納手段に保持された必要最小限の管理情報を基に、正規の管理情報を再生成し、映像音声記録再生手段が正規の位置に正規管理情報を記録するリカバリを行うようになしたものである。
【００５２】
第２１の本発明の映像音声記録再生装置は、第１１の本発明の映像音声記録再生装置において、信号伸長手段を備え、主電源が電力を供給できる状態に回復した後に、データ格納手段に保持された必要最小限の管理情報を、信号伸長手段で伸長し、伸長した管理情報を基に、正規の管理情報を再生成し、映像音声記録再生手段が正規の位置に正規管理情報を記録するリカバリを行うようになしたものである。
【００５３】
第２２の本発明の映像音声記録再生装置は、第１２の本発明の映像音声記録再生装置において、信号伸長手段を備え、主電源が電力を供給できる状態に回復した後に、記録媒体に記録された必要最小限の管理情報を、信号伸長手段で伸長し、伸長した管理情報を基に、正規の管理情報を再生成し、映像音声記録再生手段が正規の位置に正規管理情報を記録するリカバリを行うようになしたものである。
【００５４】
第２３の本発明の映像音声記録再生装置は、第１３の本発明の映像音声記録再生装置において、信号伸長手段を備え、バッテリが電力を供給できる状態に回復した後に、データ格納手段に保持された必要最小限の管理情報を、信号伸長手段で伸長し、伸長した信号を基に、正規の管理情報を再生成し、映像音声記録再生手段が正規の位置に正規管理情報を記録するリカバリを行うようになしたものである。
【００５５】
第２４の本発明の映像音声記録再生装置は、第１４の本発明の映像音声記録再生装置において、信号伸長手段を備え、バッテリが電力を供給できる状態に回復した後に、記録媒体に記録された必要最小限の管理情報を、信号伸長手段で伸長し、伸長した信号を基に、正規の管理情報を再生成し、映像音声記録再生手段が正規の位置に正規管理情報を記録するリカバリを行うようになしたものである。
【００５６】
第２５の本発明の映像音声記録再生装置は、第１５または第１６または第１９または第２１または第２２の本発明の映像音声記録再生装置において、主電源が電力を供給できる状態に回復したことを、電源制御手段が検出した後に、リカバリを行うか、リカバリを行わないかを選択できるようになしたものである。
【００５７】
第２６の本発明の映像音声記録再生装置は、第１７または第１８または第２０または第２３または第２４の本発明の映像音声記録再生装置において、少なくとも、正規の管理情報を記録するのに必要な電力量以上に、バッテリの残り電力量が回復したことを、電源制御手段が検出した後に、リカバリを行うか、リカバリを行わないかを選択できるようになしたものである。
【００５８】
第２７の本発明の映像音声記録再生装置は、第４または第５または第６または第７または第８または第１０または第１３または第１４の本発明の映像音声記録再生装置において、電力供給先選択手段を備え、映像音声記録再生手段でＡＶ信号を記録中に、ＡＶ信号の必要最小限の管理情報を記録するのに必要な電力量まで、バッテリの残り電力量が減少したことを、電源制御手段が検出した場合、信号入力手段への電力供給を停止し、かつ、少なくとも映像音声記録再生手段への電力供給を継続するよう、電力供給先を電力供給先選択手段が切り換えるようになしたものである。
【００５９】
第２８の本発明の映像音声記録再生装置は、第１５または第１６または第１７または第１８または第１９または第２０または第２１または第２２または第２３または第２４の本発明の映像音声記録再生装置において、記録媒体の取り出しを制御する記録媒体取り出し制御手段を備え、少なくとも必要最小限の管理情報のリカバリを行った後に、映像音声記録再生手段から記録媒体を取り出す事が可能となるように、記録媒体取り出し制御手段をシステム制御手段が制御するようになしたものである。
【００６０】
第２９の本発明の映像音声記録再生装置は、第１または第２または第４または第５または第６または第７の本発明の映像音声記録再生装置において、記録媒体のＩＤ情報や最終記録日時などの記録媒体情報を、一時的にデータ格納手段に書き込むようになしたものである。
【００６１】
第３０の本発明の映像音声記録再生装置は、第３または第８の本発明の映像音声記録再生装置において、データ格納手段を備え、記録媒体のＩＤ情報や最終記録日時などの記録媒体情報を、一時的にデータ格納手段に書き込むようになしたものである。
【００６２】
第３１の本発明の映像音声記録再生装置は、第２９または第３０の本発明の映像音声記録再生装置において、データ格納手段に書き込んだ第１の記録媒体情報と、映像音声記録再生手段で記録再生する記録媒体の第２の記録媒体情報が一致すれば、リカバリを行うようになしたものである。
【発明の効果】
【００６３】
本発明によれば、ＡＶ信号の記録中に主電源が電力を供給できなくなった場合、予備電源を電源として用いて、ＡＶ信号の管理情報のうちデータサイズまたはエントリを選択して、一時的にデータ格納手段に書き込み保持するようにしたので、少ない電力量で管理情報を保持または記録することができるという効果がある。
【００６４】
また、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録するようにしたので、メモリなどのデータ格納手段を用いなくても管理情報を記録することができ、上記のような緊急時のディスクへの管理情報記録を短い時間で完了させることができ、よってこの管理情報記録で消費する電力量を減らすことができるという効果がある。
【００６５】
また、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズまたはエントリを選択して、一時的にデータ格納手段に書き込み保持するようにしたので、少ない電力量で必要最小限の管理情報を保持するという効果がある。
【００６６】
また、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録するようにしたので、メモリなどのデータ格納手段を用いなくても管理情報を記録することができ、上記のような緊急時のディスクへの管理情報記録を短い時間で完了させることができ、よってこの管理情報記録で消費する電力量を減らすことができ、減らした電力量の分だけＡＶ信号の記録時間を延ばすことができるという効果がある。
【００６７】
また、ＡＶ信号の記録中に主電源が電力を供給できなくなった場合、予備電源を電源として用いて、ＡＶ信号の管理情報のうちデータサイズまたはエントリを選択して、選択した管理情報を信号圧縮したうえで、一時的にデータ格納手段に書き込み保持するようにしたので、データ格納手段の必要容量を減らすことができ、さらに少ない電力量で必要最小限の管理情報を保持するという効果がある。
【００６８】
また、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを選択し、選択した管理情報を信号圧縮したうえで、ＡＶ信号に引き続き、記録媒体上の記録停止位置から最も近い領域に、映像音声記録再生手段が記録するようにしたので、メモリなどのデータ格納手段を用いなくても管理情報を記録することができ、上記のような緊急時のディスクへの管理情報記録を短い時間で完了させることができ、よってこの管理情報記録で消費する電力量を減らすことができるという効果がある。
【００６９】
また、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズまたはエントリを選択して、選択した管理情報を信号圧縮したうえで、一時的にデータ格納手段に書き込み保持するようにしたので、データ格納手段の必要容量を減らすことができ、さらに少ない電力量で必要最小限の管理情報を保持するという効果がある。
【００７０】
また、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを選択し、選択した管理情報を信号圧縮したうえで、ＡＶ信号に引き続き、記録媒体上の記録停止位置から最も近い領域に、映像音声記録再生手段が記録するようにしたので、メモリなどのデータ格納手段を用いなくても管理情報を記録することができ、上記のような緊急時のディスクへの管理情報記録をさらに短い時間で完了させることができ、よってこの管理情報記録で消費する電力量を減らすことのできるという効果がある。
【００７１】
また、主電源が電力を供給できる状態に回復した後に、データ格納手段または記録媒体に保持または記録された必要最小限の管理情報を基に、必要ならば信号伸長を行い、正規の管理情報を再生成し、映像音声記録再生手段が正規の位置に正規管理情報を記録するリカバリを行うようにしたので、最後に記録したＡＶ信号を再生可能な状態にするという効果がある。
【００７２】
また、バッテリが電力を供給できる状態に回復した後に、データ格納手段または記録媒体に保持または記録された必要最小限の管理情報を基に、必要ならば信号伸長を行い、正規の管理情報を再生成し、映像音声記録再生手段が正規の位置に正規管理情報を記録するリカバリを行うようにしたので、最後に記録したＡＶ信号を再生可能な状態にするという効果がある。
【００７３】
また、主電源またはバッテリが電力を供給できる状態に回復した後に、すぐにリカバリを行うか、リカバリを行わないかを選択できるようにしたので、リカバリしないことによって節約された電力量を、映像音声の記録にまわして、より長時間の記録を行うことと、リカバリしないことによって、リカバリに必要な時間を節約し、より素早く記録を開始することを、選択できるという効果がある。
【００７４】
また、ＡＶ信号の記録中に、必要最小限の管理情報を記録するのに必要な電力量まで、バッテリの残り電力量が減少したことを、電源制御手段が検出した場合、少なくとも信号入力手段への電力供給を停止し、かつ、少なくともシステム制御手段への電力供給を継続するようにしたので、より少ない電力で管理情報を保持または記録し、節約した電力により、より長い時間記録できるという効果がある。
【００７５】
また、少なくとも必要最小限の管理情報のリカバリを行った後に、映像音声記録再生手段から記録媒体を取り出す事を可能にするようにしたので、リカバリを行う前に、誤って最後に記録したＡＶ信号に上書きしてしまうことがないという効果がある。
【００７６】
また、記録媒体の記録状態を表す記録媒体情報を、一時的にデータ格納手段に書き込むようにしたので、記録媒体を取り出して他の記録装置で追加記録や上書き記録を行った場合に、それを容易に検出できるという効果がある。
【００７７】
また、記録媒体情報と記録媒体の記録状態が一致すれば、リカバリを行うようにしたので、リカバリ前に記録媒体を取り出し、再度記録媒体をセットした場合にも、その記録媒体をリカバリすることができるか否かを容易に判断し、リカバリを行うことができるという効果がある。
【発明を実施するための最良の形態】
【００７８】
以下、図面を用いて本発明の実施形態を詳細に説明する。
【００７９】
まず、図１および図２および図３を用いて、本発明の第１の実施例を説明する。
【００８０】
図１を用いて、本発明の第１の実施例の基本構成を説明する。図１は本発明の第１の実施例の映像音声記録再生装置の基本構成を示したブロック図である。
【００８１】
図１において、１は入出力手段であり、１１はチューナであり、１２はインタフェース部であり、１３は切換え手段であり、２は半導体メモリであり、２０はバックアップメモリであり、３は光ディスク記録再生部であり、３１は光ディスクであり、３２はピックアップ部であり、４は信号処理手段であり、４１は信号圧縮伸長手段（以下、ＣＯＤＥＣと記す）であり、４２はマイクロプロセッシングユニット（以下、ＭＰＵと記す）であり、５は電源であり、６はシステム制御手段であり、７は予備電源であり、８は電源制御部である。
【００８２】
入出力手段１は、記録時に装置外部から入力されるＡＶ信号を信号処理手段４へ出力し、再生時に信号処理手段４から入力されるＡＶ信号を装置外部へ出力する。チューナ１１は、装置外部から入力した変調信号を復調し、切換え手段１３へ出力する。インタフェース部１２は、入力されたＡＶ信号を切換え手段１３へ出力し、切換え手段１３から入力されたＡＶ信号を装置外部へ出力する。切換え手段１３は、チューナ１１またはインタフェース部１２から入力されたＡＶ信号を切換えて信号処理手段４へ出力し、信号処理手段４から入力されたＡＶ信号をインタフェース部１２へ出力する。半導体メモリ２は、信号処理手段４から入出力されたＡＶ信号や、管理情報を格納する。バックアップメモリ２０は、管理情報を格納するメモリである。
【００８３】
光ディスク記録再生部３は、信号処理手段４から入力したＡＶ信号および管理情報を記録媒体に記録し、記録媒体から読み出したＡＶ信号を信号処理手段４へ出力する。光ディスク３１は記録可能な記録媒体であり、本装置に着脱できる。ピックアップ部３２は光ディスク３１にＡＶ信号を書き込み、光ディスク３１からＡＶ信号を読み出す。信号処理手段４は、入出力手段１または光ディスク記録再生部３または半導体メモリ２から入力したＡＶ信号および管理情報を信号処理し、光ディスク記録再生部３または半導体メモリ２または入出力手段１へ出力する。ＣＯＤＥＣ４１は、半導体メモリ２との間でＡＶ信号を入出力し、入出力手段１およびＭＰＵ４２から入力されるＡＶ信号を圧縮または伸長して出力する。ＭＰＵ４２は、半導体メモリ２との間でＡＶ信号を入出力し、光ディスク記録再生部３およびＣＯＤＥＣ４１から入力されるＡＶ信号に演算を加えて出力する。電源５は、装置全体に電力を供給する。予備電源７は、電源５が突然電力供給を停止したときなどに必要な部分に電力を供給する。電源制御部８は、電源５が供給する電力の大きさを監視し、電源５が電力供給を停止した場合、システム制御手段６に、電力供給停止情報を発信する。システム制御手段６は、入出力手段１および半導体メモリ２およびバックアップメモリ２０および光ディスク記録再生部３および信号処理手段４および電源５および予備電源７および電源制御部８を制御する。
【００８４】
本装置を用いてＡＶ信号を記録するとき、システム制御手段６は通常以下のように装置を制御する。まず、記録に先立ち、記録を開始しディスクに変更を加える事を示す情報（以下、ファイルオープン情報と記す）を光ディスク３１に書き込む。入出力手段１に入力された変調信号は、チューナ１１によってＡＶ信号に変換されて切換え手段１３に出力される。また、入出力手段１に入力されたＡＶ信号は、インタフェース部１２を経由し切換え手段１３に出力される。切換え手段１３は信号処理手段４にＡＶ信号を転送する。入出力手段１から信号処理手段４に転送されたＡＶ信号は、ＣＯＤＥＣ４１によって信号圧縮処理され、さらにＭＰＵ４２によって信号処理され、光ディスク記録再生部３に転送される。ＣＯＤＥＣ４１が信号圧縮処理を行うとき、半導体メモリ２をワークバッファとして用いる。ＭＰＵ４２が信号処理を行うとき、処理されるＡＶ信号の管理情報が生成され、バックアップメモリ２０に保持される。
【００８５】
管理情報とは、ＡＶ信号のエントリ、光ディスク上の記録領域のアドレスなどである。エントリとは、ＡＶ信号の一定の記録時間ごとの、ＡＶ信号の記録単位（以下、ＶＯＢＵと記す）の位置、番号や、あるいはＶＯＢＵごとのＩピクチャのサイズ、フィールド数、ＶＯＢＵのサイズなどの管理情報である。Ｉピクチャとは、ＭＰＥＧ圧縮において、フレーム内で圧縮された画像である。
【００８６】
信号処理手段４から光ディスク記録再生部３に転送されたＡＶ信号は、ピックアップ部３２によって、光ディスク３１に書き込まれる。
【００８７】
ＡＶ信号を記録し終わった後に、記録したＡＶ信号の管理情報を記録する。管理情報はバックアップメモリ２０に保持されており、その管理情報をバックアップメモリ２０から信号処理手段４を経由して光ディスク記録再生部３に転送し、光ディスク３１に記録する。
【００８８】
このとき、管理情報の種類によって記録する位置が異なっており、光ディスク３１上の複数の領域に分散して管理情報を記録しなければならない。そのために、ピックアップ部３２は、複数回のシークと記録を繰り返す必要がある。管理情報の記録が完了したら、記録の最初の段階で記録したファイルオープン情報を、記録が完了した情報（以下、ファイルクローズ情報と記す）に更新する。以上で、ＡＶ信号の記録が終了する。
【００８９】
本装置を用いて映像や音声を再生するとき、以下のように、ＡＶ信号の流れは記録時と逆になる。光ディスク記録再生部３において、ピックアップ部３２が光ディスク３１からＡＶ信号の管理情報を読み出し、その管理情報を基にＡＶ信号を読み出し、信号処理手段４に転送する。信号処理手段４において、入力されたＡＶ信号に対して信号分離や伸長処理などを行い、入出力手段１または図には示されていないが出力手段に転送し、映像や音声を再生する。
【００９０】
以上のように、 ＡＶ信号を再生する。
【００９１】
上記のＡＶ信号の記録および再生の動作中、電源５が装置全体に必要な電力を供給するよう、システム制御手段６は装置を制御する。また、電源制御部８は電源５が供給する電力を監視し、必要に応じて、システム制御手段６に、電力供給停止情報を発信する。
【００９２】
図２および図３は本発明の第１の実施例の映像音声記録再生装置の動作を示したフローチャートである。
【００９３】
図１および図２を用いて、本発明の第１の実施例において、記録時に突然電源が電力供給を停止した場合に、管理情報を保持する動作を説明する。
【００９４】
記録中に電源５が電力供給を停止した場合は（ステップＳ２０１）、電源制御部８が電力供給停止を検出し（ステップＳ２０２）、システム制御手段６が電源５を予備電源７に切り換える（ステップＳ２０３）。予備電源７を電源として、半導体メモリ２に蓄積されている管理情報のうち、保持するべき管理情報を取捨選択する（ステップＳ２０４）ことにより、バックアップメモリ２０の容量に収まる大きさまで、管理情報のデータ量を減少させる。選択された管理情報をバックアップメモリ２０に保持し（ステップＳ２０５）、バックアップメモリ２０を予備電源７でバックアップした保持状態になり（ステップＳ２０６）、終了する。
【００９５】
保持するべき管理情報とは、記録したＡＶ信号を再生するために必須であり、かつ一旦失ったら回復するのが困難な管理情報である。例えば、光ディスク３１上の所定の位置に記録された、光ディスクを特定するディスク名または番号などのＩＤ情報、ＡＶ信号が記録された領域のアドレス情報、エントリなどである。また、保持状態とは、電源５からの電力供給を停止し、かつ、バックアップメモリ２０に格納されたデータを予備電源７によって保持している状態である。
【００９６】
次に、図１および図３を用いて、本発明の第１の実施例において、保持した管理情報をリカバリする動作を説明する。
【００９７】
リカバリとは、光ディスク上の正規の位置に記録されていない管理情報を、正規の位置に記録し直す事を意味し、特に、記録中に電力供給が停止した場合に、光ディスク以外の記憶手段（半導体メモリなど）に保持した管理情報を、光ディスク上の正規の位置に記録し直す事を含む。
【００９８】
正規の位置とは、再生時に参照される位置をいう。
【００９９】
電源５が電力供給を再開した事を、電源制御部８が検出すると（ステップＳ３０１）、電力供給停止前と電力供給再開後とを比べて、光ディスク３１が同一のものであるかどうかを、確認する（ステップＳ３０２）。確認の方法は、光ディスク３１の所定の位置に記録されたＩＤ情報とバックアップメモリ２０に保持したＩＤ情報を比較することで実現できる。もしＩＤ情報が一致しなければ、光ディスクを交換するよう警告表示を行う（ステップＳ３０３）。また、ディスク記録再生部３に光ディスクが装着されていない場合も、光ディスクを装着するよう警告表示を行う。もしＩＤ情報が一致すれば、リカバリを行う。まず、バックアップメモリ２０に保持した管理情報をもとに正規の管理情報を生成し、その管理情報を光ディスク３１上の正規の位置に書き込む（ステップＳ３０４）。そして、ファイルオープン情報をファイルクローズ情報に更新し（ステップＳ３０５）、待機状態になり（ステップＳ３０６）、終了する。
【０１００】
正規の管理情報とは、通常の記録終了時に書き込まれる管理情報と同一の形式の管理情報である。また、待機状態とは、記録を一時停止し、記録開始を待つ状態である。
【０１０１】
ところで、データサイズは、ＡＶ信号の記録領域の位置、長さをリカバリするために必要である。（データサイズとは、ＡＶ信号をファイルとして記録する場合のファイルサイズである。）以下、その理由を述べる。光ディスク上にＡＶ信号を記録する時、記録前に、あるアルゴリズムに従って、ＡＶ信号を記録する領域を選択する。このアルゴリズムが同じならば、ある一定の条件下でＡＶ信号を記録する場合に、どの領域に記録するかを、一意的に決定できる。アルゴリズムの例として、空き領域の位置と長さを位置順に並べたテーブルを持ち、記録するときに、テーブルをもとに、必要な空き領域を位置順に選択して、選択した空き領域に記録し、記録が終了すると、テーブルを更新する方法が、考えられる。通常の記録では、ＡＶ信号の記録終了時に管理情報をディスクに記録し、ディスクの空き領域のテーブルを更新する。これが、連続的な記録動作ごとに繰り返される。
【０１０２】
連続的な記録動作とは、例えば、ビデオカメラにおいては、撮影開始ボタンを押して撮影を開始してから、撮影一時停止ボタンを押して撮影を一時停止するまでであり、ビデオレコーダでは、録画開始してから録画終了するまでである。
【０１０３】
ところが、記録中に停電した場合は、あるデータサイズのＡＶ信号が記録され、その管理情報は記録されていない状態で、記録動作が終了する。この場合に、最後にＡＶ信号の管理情報が記録された時点よりも後に記録したＡＶ信号を、どの位置にどれくらいの長さだけ記録したかを知るためには、以下の情報が必要である。
【０１０４】
まず、記録開始位置を知るためには、最後にＡＶ信号の管理情報が記録された時点での空き領域の情報が必要である。これは、テーブルを読み出すことで知ることができる。なぜならば、テーブルを更新するタイミングは、記録したＡＶ信号のデータサイズが確定した後であり、この場合テーブルは更新されていないからである。また、記録した長さを知るためには、データサイズが必要である。以上の情報から、同じ空き領域選択アルゴリズムを適用することで、最後に記録したＡＶ信号の位置、長さを知ることができる。以上より、データサイズから、ＡＶ信号の記録領域の位置、長さを知ることができるといえる。この考え方を用いることで、正規の管理情報を生成し、上に説明したようなリカバリを実現することができる。
【０１０５】
以上の動作を行う事により、ＡＶ信号の管理情報を全て半導体メモリ２に保持する場合と比較して、保持する管理情報のデータ量を減少させることができるため、記録したＡＶ信号が再生できなくなる状態を回避しつつ、かつ、メモリの節約、保持電力量の節約などの効果がある。
【０１０６】
次に、図４および図５および図６を用いて、本発明の第２の実施例を説明する。
【０１０７】
図４を用いて、本発明の第２の実施例の基本構成を説明する。図４は、第２の実施例の映像音声記録再生装置の基本構成を示したブロック図であり、図１における入出力手段１を信号入力手段９に置き換え、図１における電源５をバッテリ１００に置き換え、図１における予備電源７を削除した構成である。なお、図１と同様な部分については同じ番号を振り、説明を割愛する。
【０１０８】
図４において、９は信号入力手段であり、９１はマイクであり、９２はＡＤコンバータ（以下、ＡＤＣと記す）であり、９３はＣＣＤセンサであり、９４はデジタル信号処理装置（以下、ＤＳＰと記す）であり、１００はバッテリである。
【０１０９】
信号入力手段９は、装置外部から入力された映像や音声を電気信号に変換して信号処理手段４へ出力する。マイク９１は、音声を電気信号に変換してＡＤＣ９２へ出力する。ＡＤＣ９２は、マイク９１から入力されたアナログ電気信号をデジタル電気信号に変換し出力する。ＣＣＤセンサ９３は、映像を電気信号に変換する。ＤＳＰ９４は、ＣＣＤセンサ９３から入力されたアナログ電気信号をデジタル電気信号に変換し出力する。バッテリ１００は、装置全体に電力を供給する。電源制御部８は、バッテリ１００の残り電力量を監視し、バッテリ１００の残り電力量が一定値Ａまで減少した場合、システム制御手段６に、残り電力量情報を発信する。
【０１１０】
一定値Ａとは、保持するべき管理情報を記録する動作のために確保しておく電力量である。残り電力量情報とは、バッテリ１００の残り電力量や、残り電力量の大きさや程度を示す信号である。
【０１１１】
システム制御手段６は、信号入力手段９および半導体メモリ２および光ディスク記録再生部３および信号処理手段４およびバッテリ１００および電源制御部８を制御する。
【０１１２】
本装置を用いて映像や音声を記録するとき、システム制御手段６は通常以下のように装置を制御する。
【０１１３】
本実施例は第１の実施例と比べて、図１における入出力手段１を信号入力手段９に置き換え、図１における電源５をバッテリ１００に置き換え、図１における予備電源７を削除した構成であり、通常の記録再生の動作としては、信号の入力と、電源の制御が第１の実施例と異なる部分であり、その他は同様である。
【０１１４】
以下、特に信号入力手段９およびバッテリ１００が関連する部分について、説明する。まず、記録開始すると、ファイルオープン情報を光ディスク３１に書き込む。信号入力手段９に入力された音声信号は、マイク９１によって電気信号に変換され、さらにＡＤＣ９２によってデジタル信号に変更され、信号処理手段４に転送される。また、信号入力手段９に入力された映像信号は、ＣＣＤセンサ９３によって電気信号に変換され、さらにＤＳＰ９４によってデジタル信号に変更され、信号処理手段４に転送される。
【０１１５】
以降の動作は、第１の実施例において説明した、信号処理手段４以降の動作と同様であるので、説明を割愛する。
【０１１６】
再生時の動作も、第１の実施例と同様であるので、説明を割愛する。
【０１１７】
ＡＶ信号の記録および再生の動作中、バッテリ１００が装置全体に必要な電力を供給するよう、システム制御手段６は装置を制御する。また、電源制御部８はバッテリ１００が供給する電力量を監視し、必要に応じて、システム制御手段６に、電力供給停止情報を発信する。
【０１１８】
図５および図６は本発明の第２の実施例の映像音声記録再生装置の動作を示したフローチャートである。図４および図５を用いて、本発明の第２の実施例において、記録中にバッテリの残り電力量がわずかになった場合の管理情報の記録の動作を説明する。
【０１１９】
バッテリ１００の残り電力量が一定値Ａまで減少すると（ステップＳ５０１）、それを電源制御部８が検出し、システム制御手段６に残り電力量情報を発信する（ステップＳ５０２）。システム制御手段６が残り電力量情報を受信すると、自動的に記録を停止し（ステップＳ５０３）、半導体メモリ２に蓄積されている管理情報のうち、保持するべき管理情報を取捨選択、選別し（ステップＳ５０４）、選別した管理情報のうちデータサイズをバックアップメモリ２０に保持し（ステップＳ５０５）、選別した管理情報のうちデータサイズ以外を光ディスク３１にまとめて記録し（ステップＳ５０６）、保持状態になり（ステップＳ５０７）、終了する。
【０１２０】
また、光ディスクにまとめて記録するとは、本来光ディスク上の複数の領域に書き込むべき管理情報を、一つの領域に書き込むことである。このとき、記録を停止した位置から、できるだけ近い距離にある領域に書き込むようにする。ただし、全ての管理情報を一つの領域に書き込む事が困難な場合は、一つ目の領域にもっとも近い二つ目の領域に、続けて書き込む。これによって、シークをできるだけ減らし、シークによって消費される電力量や時間を節約できるという効果がある。
【０１２１】
もし、管理情報を書き込む領域の合計の長さが、管理情報の長さよりも短い場合は、管理情報を書き込むのに不足している長さだけ、最後にＡＶ信号を記録した領域末尾から、ＡＶ信号を削除し、これによって書き込み可能となった領域を管理情報を書き込む領域として用いる。これによって、ディスクの記録可能領域が残りわずかの場合にも、管理情報を書き込むことができるという効果がある。
【０１２２】
次に、図４および図６を用いて、本発明の第２の実施例において、リカバリする場合の動作を説明する。
【０１２３】
バッテリ１００の残り電力量が一定値Ｂ以上に回復した事を、電源制御部８が検出すると（ステップＳ６０１）、光ディスク３１がリカバリを必要とするディスクかどうかを、確認する（ステップＳ６０２）。この確認は、ファイルオープン情報またはファイルクローズ情報のいずれが記録されているかによって判断できる。もし光ディスク３１にファイルクローズ情報が記録されていれば、リカバリは不要であり、待機状態になり（ステップＳ６０６）、終了する。もし光ディスク３１にファイルオープン情報が記録されていれば、リカバリを行う。まず、バックアップメモリ２０に保持したデータサイズを基に、光ディスク３１にまとめて記録された必要最小限の管理情報の記録位置を算出し、管理情報を読み出し（ステップＳ６０３）、その管理情報をもとに正規の管理情報を生成する。そして、その正規の管理情報を光ディスク３１の正規の位置に書き込み（ステップＳ６０４）、ファイルオープン情報をファイルクローズ情報に更新し（ステップＳ６０５）、待機状態になり（ステップＳ６０６）、終了する。
【０１２４】
一定値Ｂとは、リカバリが必要なディスクかどうかチェックし、リカバリを行うという一連の動作のために確保しておく電力量である。
【０１２５】
以上の動作を行う事により、管理情報の記録時のシーク回数を減らす事ができ、管理情報の記録をより少ない電力量で実現できるという効果がある。
【０１２６】
また、図７に示すように、機能付バッテリ１１０を用いて、第２の実施例を構成する事も可能である。図７および図８および図９を用いて、本発明の第２の実施例の変形例を説明する。
【０１２７】
機能付バッテリ１１０は、電源制御部８に相当する機能を持つバッテリ制御部１１０１を内蔵したバッテリであり、バッテリ制御部１１０１が、第２の実施例における電源制御部８と同様の役割を果たす。その時の、管理情報の記録、および管理情報のリカバリの様子は、ぞれぞれ図８、図９に示すようになる。
【０１２８】
図８を用いて、本発明の第２の実施例の変形例の管理情報を記録する動作を説明する。
【０１２９】
機能付バッテリ１１０の残り電力量が一定値Ａまで減少すると（ステップＳ８０１）、それをバッテリ制御部１１０１が検出し、システム制御手段６に残り電力量情報を発信する（ステップＳ８０２）。システム制御手段６が残り電力量情報を受信すると（ステップＳ８０３）、自動的に記録を停止し（ステップＳ８０４）、半導体メモリ２に蓄積されている管理情報のうち、保持するべき管理情報を取捨選択、選別し（ステップＳ８０５）、選別した管理情報のうちデータサイズをバックアップメモリ２０に保持し（ステップＳ８０６）、その他の管理情報を光ディスク３１にまとめて記録し（ステップＳ８０７）、保持状態になり（ステップＳ８０８）、終了するように制御する。
【０１３０】
図９を用いて、本発明の第２の実施例の変形例の管理情報のリカバリの動作を説明する。
【０１３１】
機能付バッテリ１１０が残り電力量が一定値Ｂ以上に回復した事を、回復情報として送信すると（ステップＳ９０１）、システム制御手段６が回復情報を受信し（ステップＳ９０２）、光ディスク３１がリカバリを必要とするディスクかどうかを、確認する（ステップＳ９０３）。この確認は、ファイルオープン情報またはファイルクローズ情報のいずれが記録されているかによって判断できる。もし光ディスク３１にファイルクローズ情報が記録されていれば、リカバリは不要であり、待機状態になり（ステップＳ９０７）、終了する。もし光ディスク３１にファイルオープン情報が記録されていれば、リカバリを行う。まず、バックアップメモリ２０に保持されたデータサイズを基に、光ディスク３１にまとめて記録された必要最小限の管理情報を読み出し（ステップＳ９０４）、その管理情報をもとに正規の管理情報を生成する。そして、その正規の管理情報を光ディスク３１の正規の位置に書き込み（ステップＳ９０５）、ファイルオープン情報をファイルクローズ情報に更新し（ステップＳ９０６）、待機状態になり（ステップＳ９０７）、終了する。
【０１３２】
以上の動作を行う事により、第２の実施例と同様に、管理情報の記録時のシーク回数を減らす事ができ、管理情報の記録をより少ない電力量で実現できるという効果がある。
【０１３３】
次に、図１および図１０および図１１を用いて、本発明の第３の実施例を説明する。本発明の第３の実施例の基本構成は、図１で示され、第１の実施例と同様であるので、説明を割愛する。また、本発明の第３の実施例において、通常の場合の記録再生の動作は、第１の実施例と同様であるので、説明を割愛する。
【０１３４】
図１０および図１１は本発明の第３の実施例の映像音声記録再生装置の動作を示したフローチャートである。図１および図１０を用いて、本発明の第３の実施例において、記録時に突然電源が電力供給を停止した場合に、管理情報を保持する動作を説明する。
【０１３５】
記録中に電源５が電力供給を停止した場合は（ステップＳ１００１）、電源制御部８が電力供給停止を検出し（ステップＳ１００２）、システム制御手段６が電源５を予備電源７に切り換える（ステップＳ１００３）。予備電源７を電源として、半導体メモリ２に蓄積されている管理情報のうち、保持するべき管理情報を取捨選択し（ステップＳ１００４）、選択された管理情報をＭＰＵ４２に転送し、ＭＰＵ４２で信号圧縮し（ステップＳ１００５）、バックアップメモリ２０の容量に収まる大きさまで、管理情報のデータ量を少なくする。選択された管理情報をバックアップメモリ２０に保持し（ステップＳ１００６）、バックアップメモリ２０を予備電源７でバックアップした保持状態になり（ステップＳ１００７）、終了する。
【０１３６】
次に、図１および図１１を用いて、本発明の第３の実施例において、保持した管理情報を伸長してリカバリする動作を説明する。
【０１３７】
電源５が電力供給を再開した事を、電源制御部８が検出すると（ステップＳ１１０１）、電力供給停止前と電力供給再開後とを比べて、光ディスク３１が同一のものであるかどうかを、確認する（ステップＳ１１０２）。確認の方法は、光ディスク３１の所定の位置に記録されたＩＤ情報とバックアップメモリ２０に保持したＩＤ情報を比較することで実現できる。もしＩＤ情報が一致しなければ、光ディスクを交換するよう警告表示を行う（ステップＳ１１０３）。また、ディスク記録再生部３に光ディスクが装着されていない場合も、光ディスクを装着するよう警告表示を行う。もしＩＤ情報が一致すれば、リカバリを行う。まず、バックアップメモリ２０に保持した管理情報を伸長し、もとに正規の管理情報を生成し（ステップＳ１１０４）、その管理情報を光ディスク３１上の正規の位置に記録する（ステップＳ１１０５）。そして、ファイルオープン情報をファイルクローズ情報に更新し（ステップＳ１１０６）、待機状態になり（ステップＳ１１０７）、終了する。
【０１３８】
以上の動作を行う事により、本発明の第１の実施例と比較しても、保持する管理情報のデータ量を減少させることができるため、記録したＡＶ信号が再生できなくなる状態を回避しつつ、かつ、メモリの節約、保持電力量の節約などの効果がある。
【０１３９】
次に、図４および図１２および図１３を用いて、本発明の第４の実施例を説明する。
【０１４０】
本発明の第４の実施例の基本構成は、図４で示され、第２の実施例と同様であるので、説明を割愛する。また、本発明の第４の実施例において、通常の場合の記録再生の動作は、第２の実施例と同様であるので、説明を割愛する。
【０１４１】
図１２および図１３は本発明の第４の実施例の映像音声記録再生装置の動作を示したフローチャートである。図４および図１２を用いて、本発明の第２の実施例において、記録中にバッテリの残り電力量がわずかになった場合に、管理情報を圧縮してディスクに記録する動作を説明する。
【０１４２】
バッテリ１００の残り電力量が一定値Ａまで減少すると（ステップＳ１２０１）、それを電源制御部８が検出し、システム制御手段６に残り電力量情報を発信する（ステップＳ１２０２）。システム制御手段６が残り電力量情報を受信すると、自動的に記録を停止し（ステップＳ１２０３）、半導体メモリ２に蓄積されている管理情報のうち、保持するべき管理情報を取捨選択、選別し（ステップＳ１２０４）、選別した管理情報のうちデータサイズをバックアップメモリ２０に保持する（ステップＳ１２０５）。選別した管理情報のうちデータサイズ以外の管理情報を信号圧縮し（ステップＳ１２０６）、圧縮した管理情報を光ディスク３１にまとめて記録し（ステップＳ１２０７）、保持状態になり（ステップＳ１２０８）、終了する。
【０１４３】
このとき、記録を停止した位置から、できるだけ近い距離にある領域に書き込むようにし、また、管理情報を書き込む領域の合計の長さが管理情報の長さよりも短い場合は、管理情報を書き込むのに不足している長さだけ、ＡＶ信号を削除するなど、第２の実施例と同様な動作を行うことで、第２の実施例と同じ効果を得ることができる。
【０１４４】
次に、図４および図１３を用いて、本発明の第４の実施例において、管理情報を伸長してリカバリする場合の動作を説明する。
【０１４５】
バッテリ１００の残り電力量が一定値Ｂ以上に回復した事を、電源制御部８が検出すると（ステップＳ１３０１）、光ディスク３１がリカバリを必要とするディスクかどうかを、確認する（ステップＳ１３０２）。この確認は、ファイルオープン情報またはファイルクローズ情報のいずれが記録されているかによって判断できる。もし光ディスク３１にファイルクローズ情報が記録されていれば、リカバリは不要であり、待機状態になり（ステップＳ１３０７）、終了する。もし光ディスク３１にファイルオープン情報が記録されていれば、リカバリを行う。まず、バックアップメモリ２０に保持したデータサイズを基に管理情報の記録位置を算出し、光ディスク３１にまとめて記録された必要最小限の管理情報を読み出し（ステップＳ１３０３）、その管理情報をＭＰＵ４２に転送し、ＭＰＵ４２で管理情報を伸長し、正規の管理情報を生成する（ステップＳ１３０４）。そして、その正規の管理情報を光ディスク３１の正規の位置に書き込み（ステップＳ１３０５）、ファイルオープン情報をファイルクローズ情報に更新し（ステップＳ１３０６）、待機状態になり（ステップＳ１３０７）、終了する。
【０１４６】
以上の動作を行う事により、本発明の第２の実施例に比べても、管理情報の記録時のシーク回数を減らす事ができ、管理情報の記録をより少ない電力量で実現できるという効果がある。
【０１４７】
次に、図４および図１４を用いて、本発明の第５の実施例を説明する。
【０１４８】
図４および図１４を用いて、本発明の第５の実施例において、リカバリする場合の動作を説明する。図１４は本発明の第５の実施例の映像音声記録再生装置の動作を示したフローチャートである。
【０１４９】
バッテリ１００の残り電力が一定値Ｂ以上に回復したことを電源制御部８が検出した場合は（ステップＳ１４０１）、リカバリが必要なディスクがセットされているかどうかを、確認する（ステップＳ１４０２）。この確認は、ファイルオープン情報またはファイルクローズ情報のいずれが記録されているかによって判断できる。もし、光ディスク３１にファイルクローズ情報が記録されていれば、リカバリは不要であり、待機状態になり（ステップＳ１４０７）、終了する。もし、光ディスク３１にファイルオープン情報が記録されていれば（ステップＳ１４０２）、リカバリが必要であり、リカバリを行うかどうかをユーザが選択する（ステップＳ１４０３）。もし、ユーザがリカバリを行わないことを選択した場合は、待機状態になり（ステップＳ１４０７）、終了する。もし、ユーザがリカバリを行うことを選択した場合は、光ディスク３１に一箇所にまとめて記録された管理情報を読み出し（ステップＳ１４０４）、読み出した管理情報をもとに正規の管理情報を生成する。そして、その管理情報を正規の位置に書き込み（ステップＳ１４０５）、ファイルオープン情報をファイルクローズ情報に更新し（ステップＳ１４０６）、待機状態になり（ステップＳ１４０７）、終了する。
【０１５０】
以上の動作を行う事により、リカバリは後回しにして映像音声の記録を優先したい場合は、リカバリをしない、そうでない場合は、リカバリをする、といった選択が可能になる。前者の場合は、リカバリしないことによって節約された電力量を、映像音声の記録にまわして、より長時間の記録ができるという効果がある。また、リカバリしないことによって、リカバリに必要な時間を節約でき、より素早く記録が開始できるという効果がある。
【０１５１】
次に、図１５および図１６を用いて、本発明の第６の実施例を説明する。
【０１５２】
図１５および図１６を用いて、本発明の第６の実施例において、記録時に残り電力量がわずかになった場合に、まず不要な電力供給を停止してから、管理情報を記録する動作を説明する。図１５は本発明の第６の実施例の映像音声記録再生装置の基本構成を示したブロック図であり、図４に電力供給先選択手段８０を追加した構成である。なお、図４と同様な部分については同じ番号を振り、説明を割愛する。
【０１５３】
図１５において、８０は電力供給先選択手段である。電力供給先選択手段８０は、システム制御手段６からの制御信号に応じて、電力を供給する部分を選択する。
【０１５４】
図１６は本発明の第６の実施例の映像音声記録再生装置の動作を示したフローチャートである記録中に、バッテリ１００の残り電力量が一定値Ｃまで減少した場合（ステップＳ１６０１）、それを電源制御部８が検出し（ステップＳ１６０２）、マイク９１やＣＣＤセンサ９３など、管理情報の記録に不要な部分への電力供給を停止するよう、電力供給先選択手段が電力供給先を切り換える（ステップＳ１６０３）。そして、自動的に記録を終了し（ステップＳ１６０４）、半導体メモリ２に蓄積されている管理情報のうち、保持するべき管理情報を選別し（ステップＳ１６０５）、選別した管理情報のうちデータサイズをバックアップメモリ２０に保持し（ステップＳ１６０６）、その他の選別した管理情報を光ディスク３１にまとめて記録し（ステップＳ１６０７）、保持状態になり（ステップＳ１６０８）、終了する。
【０１５５】
一定値Ｃとは、マイク９１やＣＣＤセンサ９３など管理情報の記録に不要な部分への電力供給を停止した状態において、管理情報を記録するという動作のために確保しておく電力量である。
【０１５６】
以上の動作を行う事により、第２の実施例および第５の実施例に比べて、さらに少ない電力量で管理情報を記録できるという効果がある。また、節約した電力を用いて記録時間を延ばす事ができ、より長時間の記録が可能になるという効果がある。
【０１５７】
また、図１７に示すように、機能付バッテリ１１０を用いて、第６の実施例を構成する事も可能である。図１７は、図７に電力供給先選択手段８０を追加した構成である。また、ステップＳ１６０３において、管理情報を記録するためには不要な部分とは、マイク９１やＣＣＤセンサ９３に限定されるものではなく、たとえば、図には示していないが、入力された画像や記録した画像を表示する液晶モニタやビューファインダなども考えられる。
【０１５８】
次に、図１８および図１９および図２０を用いて、本発明の第７の実施例を説明する。
【０１５９】
図１８および図１９を用いて、本発明の第７の実施例において、管理情報のリカバリが必要な状態になったときに、光ディスクの排出をロックする動作を説明する。図１８は本発明の第７の実施例の映像音声記録再生装置の基本構成を示したブロック図であり、図１に以下で説明するディスク ロック手段３３を追加した構成である。なお、図１と同様な部分については同じ番号を振り、説明を割愛する。
【０１６０】
図１８において、３３はディスク ロック手段である。ディスク ロック手段３３は、システム制御手段６からの制御信号に応じて、光ディスク３１を排出しないように、光ディスク３１を固定する。
【０１６１】
図１９は本発明の第７の実施例の映像音声記録再生装置の管理情報の格納動作を示したフローチャートである。図１９を用いて、本発明の第７の実施例において、記録時に突然電源が電力供給を停止した場合に、ディスク排出できないように、ディスクをロックし、管理情報を保持する動作を説明する。
【０１６２】
記録中に電源５が電力供給を停止した場合は（ステップＳ１９０１）、電源制御部８が電力供給停止を検出し（ステップＳ１９０２）、ディスク ロック手段３３は、ディスク排出ができないように、ディスクを固定する（ステップＳ１９０３）。さらに、システム制御手段６が電源５を予備電源７に切り換える（ステップＳ１９０４）。予備電源７を電源として、半導体メモリ２に蓄積されている管理情報のうち、保持するべき管理情報を取捨選択する（ステップＳ１９０５）ことにより、バックアップメモリ２０の容量に収まる大きさまで、管理情報のデータ量を減少させる。選択された管理情報をバックアップメモリ２０に保持し（ステップＳ１９０６）、バックアップメモリ２０を予備電源７でバックアップした保持状態になり（ステップＳ１９０７）、終了する。
【０１６３】
図２０は本発明の第７の実施例の映像音声記録再生装置のディスク排出ロックを解除する動作を示したフローチャートである。図２０を用いて、本発明の第７の実施例において、ディスクの管理情報をリカバリする動作を説明する。
【０１６４】
電源５が電力供給を再開した事を、電源制御部８が検出すると（ステップＳ２００１）、バックアップメモリ２０に保持している管理情報をディスクに記録し（ステップＳ２００２）、ファイルクローズ情報をディスクに記録し（ステップＳ２００３）、ディスク排出のロックを解除する（ステップＳ２００４）。そして、待機状態（ステップＳ２００５）になり、終了する。
【０１６５】
以上の動作を行うことにより、リカバリを行う前にディスクを取り出し、そのディスクに最後に記録したＡＶ信号に、誤って上書き記録してしまうことがなくなるという効果がある。
【０１６６】
また、図２１および図２２に示すように、バッテリ１００と電源制御部８や、機能付バッテリ１１０を用いて、第７の実施例を構成する事も可能である。
【０１６７】
このときも、第７の実施例と同様に、リカバリを行う前にディスクを取り出し、そのディスクに最後に記録したＡＶ信号に、誤って上書き記録してしまうことがなくなるという効果がある。
【０１６８】
ところで、光ディスク３１を排出しないようにするためには、光ディスク３１を固定するという方法のほかに、例えば、光ディスク記録再生部３の光ディスク挿入および排出口（これは、図には示されていない）を閉じた状態に固定する方法が考えられる。この場合、光ディスク３１を固定するのではなく、光ディスク記録再生部３の光ディスク挿入および排出口を閉じた状態に固定する。この方法を用いても、第７の実施例と同様の効果が得られる。
【０１６９】
次に、図１および図２３および図２４を用いて、本発明の第８の実施例を説明する。
【０１７０】
図１および図２３を用いて、本発明の第８の実施例において、ディスクの記録状態を示すディスク情報を保持する動作を説明する。図２３は、本発明の第８の実施例において、ディスク情報を保持する動作を示したフローチャートである。
【０１７１】
ディスク情報とは、光ディスクなどの記録媒体にＡＶ信号を記録した時、その光ディスクが正常に記録終了したかどうかを示すファイルオープン情報あるいはファイルクローズ情報と、光ディスクを特定するディスクＩＤまたはディスク名と、光ディスクに最後にＡＶ信号を記録した記録装置の記録装置ＩＤまたは記録装置名と、光ディスクに最後にＡＶ信号を記録した日時である。
【０１７２】
記録中に電源５が電力供給を停止した場合は（ステップＳ２３０１）、電源制御部８が電力供給停止を検出し（ステップＳ２３０２）、システム制御手段６が電源５を予備電源７に切り換える（ステップＳ２３０３）。予備電源７を電源として、半導体メモリ２に蓄積されている管理情報のうち、保持するべき管理情報を取捨選択し（ステップＳ２３０４）、バックアップメモリ２０の容量に収まる大きさまで、管理情報のデータ量を少なくする。そして、ディスク情報を生成し（ステップＳ２３０５）、選択された管理情報と生成したディスク情報をバックアップメモリ２０に保持し（ステップＳ２３０６）、バックアップメモリ２０を予備電源７でバックアップした保持状態になり（ステップＳ２３０７）、終了する。
【０１７３】
次に、図１および図２４を用いて、本発明の第８の実施例において、リカバリする動作を説明する。図２４は、本発明の第８の実施例において、電源５が電力供給を再開した後に、ディスクの記録状態を示すディスク情報と保持したディスク情報を比較してリカバリする動作を示したフローチャートである。
【０１７４】
電源５が電力供給を再開した後、光ディスク３１からディスク情報を読み出し（ステップＳ２４０１）、読み出したディスク情報とバックアップメモリ２０に保持したディスク情報を比較して、リカバリするかどうかを以下確認していく。まず、ファイルオープン情報あるいはファイルクローズ情報から、直前のＡＶ信号の記録が正常に終了したか、異常終了したかを判断する（ステップＳ２４０２）。もし、ファイルクローズであれば、正常に記録終了したとみなし、終了する。もし、ファイルオープンであれば、次の確認を行う。次に、光ディスクを特定するためのディスク名あるいはディスク番号などの、光ディスクのＩＤ情報をもとに、光ディスク記録再生部３にセットされている光ディスク３１が、バックアップしている管理情報に対応したＡＶ信号を記録したディスクであるかどうかを、確認する（ステップＳ２４０３）。もし、ディスクのＩＤ情報が一致しなければ、リカバリを行わず終了する。もしディスクのＩＤ情報が一致すれば、次の確認を行う。次に、記録装置のＩＤ情報から、最後にＡＶ信号を記録した記録装置が、管理情報をバックアップしている記録装置と同一であるかどうかを確認する（ステップＳ２４０４）。もし、記録装置のＩＤ情報が一致しなければ、リカバリを行わず終了する。もしＩＤ情報が一致すれば、次の確認を行う。次に、最後にディスクに記録した日時（以下、最終更新日時と記す）と、管理情報をバックアップメモリ２０に保持した日時（以下、保持日時と記す）を比較することで、管理情報をバックアップした後に光ディスクに記録が行われたかどうかを確認する（ステップＳ２４０５）。ここで、最終更新日時が光ディスク３１から読み出したディスク情報であり、保持日時がバックアップメモリ２０に保持したディスク情報である。もし、最終更新日時が保持日時よりも古い日時であれば、管理情報をバックアップした後に光ディスクに記録が行わていないと判断し、リカバリを行う（ステップＳ２４０６）。もし、最終更新日時が保持日時よりも新しい日時であれば、管理情報をバックアップした後に光ディスクに何らかの記録が行われたとみなし、リカバリを行わず、終了する。
【０１７５】
なお、ステップＳ２４０６のリカバリの動作は、図3におけるステップＳ３０４からステップＳ３０６と同じ動作であり、説明を割愛する。
【０１７６】
以上の動作を行う事により、リカバリが必要なディスクを取り出して他の記録装置で追加記録や上書き記録を行った場合に、それを容易かつ的確に検出でき、そのディスクをリカバリすることができるか否かを容易に判断し、リカバリを行うことができるという効果がある。
【０１７７】
また、リカバリが必要なディスクを記録再生装置から一旦取り出し、別のディスクの記録再生を行った後に、リカバリが必要なディスクを再度記録再生装置にセットし、リカバリを行うことができるという効果がある。
【０１７８】
ところで、光ディスク３１にディスク情報を記録している場合には、記録装置が全く同一でなくとも、同じリカバリアルゴリズムを搭載した記録装置によってリカバリを行うことは可能である。また、バックアップメモリ２０にディスク情報を保持している場合にも、保持したディスク情報を、同じリカバリアルゴリズムを搭載した別の記録装置に転送し、その記録装置で転送されたディスク情報を基にリカバリを行うことは可能である。この場合の転送は、記録装置間でバックアップメモリ２０を差し替える方法や、保持した管理情報を一旦光ディスクにダウンロードし、その光ディスクを別の装置で再生し、ダウンロードした管理情報をアップロードする方法、通信ケーブルで記録装置間を接続して転送する方法などで実現できる。ただし、別の記録装置でリカバリを行う場合には、ステップＳ２４０４における記録装置のＩＤ情報の確認で、ＩＤ情報がまったく同一である必要はなく、同じリカバリアルゴリズムを搭載した記録装置であることを確認できればよい。
【０１７９】
これにより、万一、管理情報をバックアップした記録装置の一部が故障した場合にも、他の記録装置でリカバリを行うことができ、記録したＡＶ信号が再生不可能になってしまう状態を回避できるという効果がある。
【０１８０】
また、以上の実施例において、バックアップメモリ２０は、Ｄ−ＲＡＭやＳ−ＲＡＭなどが考えられるが、その他にハードディスクなどのデバイスを用いることでも実現でき、同様の効果が得られる。
【図面の簡単な説明】
【０１８１】
【図１】本発明の第１および第８の実施例に関わる映像音声記録再生装置のブロック図である。
【図２】本発明の第１の実施例に関わる映像音声記録再生装置において、管理情報を保持する動作を示したフローチャートである。
【図３】本発明の第１の実施例に関わる映像音声記録再生装置において、管理情報をリカバリする動作を示したフローチャートである。
【図４】本発明の第２の実施例および第５の実施例に関わる映像音声記録再生装置のブロック図である。
【図５】本発明の第２の実施例に関わる映像音声記録再生装置において、管理情報を一箇所にまとめて記録する動作を示したフローチャートである。
【図６】本発明の第２の実施例に関わる映像音声記録再生装置において、管理情報のリカバリの動作を示したフローチャートである。
【図７】本発明の第２の実施例の変形例に関わる映像音声記録再生装置のブロック図である。
【図８】本発明の第２の実施例の変形例に関わる映像音声記録再生装置において、管理情報を記録する動作を示すフローチャートである。
【図９】本発明の第２の実施例の変形例に関わる映像音声記録再生装置において、管理情報のリカバリの動作を示したフローチャートである。
【図１０】本発明の第３の実施例に関わる映像音声記録再生装置において、管理情報を圧縮して保持する動作を示したフローチャートである。
【図１１】本発明の第３の実施例に関わる映像音声記録再生装置において、管理情報を伸長してリカバリする動作を示したフローチャートである。
【図１２】本発明の第４の実施例に関わる映像音声記録再生装置において、管理情報を圧縮し一箇所にまとめて記録する動作を示したフローチャートである。
【図１３】本発明の第４の実施例に関わる映像音声記録再生装置において、管理情報を伸長しリカバリする場合の動作を示したフローチャートである。
【図１４】本発明の第５の実施例に関わる映像音声記録再生装置において、管理情報のリカバリをユーザが選択する動作を示したフローチャートである。
【図１５】本発明の第６の実施例に関わる映像音声記録再生装置のブロック図である。
【図１６】本発明の第６の実施例および第６の実施例の変形例に関わる映像音声記録再生装置において、管理情報の記録に不要な電力供給を停止する動作を示したフローチャートである。
【図１７】本発明の第６の実施例の変形例に関わる映像音声記録再生装置のブロック図である。
【図１８】本発明の第７の実施例に関わる映像音声記録再生装置のブロック図である。
【図１９】本発明の第７の実施例および第７の実施例の変形例に関わる映像音声記録再生装置において、ディスクの排出をロックする動作を示したフローチャートである。
【図２０】本発明の第７の実施例および第７の実施例の変形例に関わる映像音声記録再生装置において、ディスクの排出ロックを解除する動作を示したフローチャートである。
【図２１】本発明の第７の実施例の変形例に関わる映像音声記録再生装置のブロック図である。
【図２２】本発明の第７の実施例の変形例に関わる映像音声記録再生装置のブロック図である。
【図２３】本発明の第８の実施例に関わる映像音声記録再生装置において、ディスク情報を保持する動作を説明したフローチャートである。
【図２４】本発明の第８の実施例に関わる映像音声記録再生装置において、保持したディスク情報とセットされたディスクのディスク情報が一致すればリカバリを行うという動作を説明したフローチャートである。
【符号の説明】
【０１８２】
１…入出力手段、１１…チューナ、１２…インタフェース部、１３…切換え手段、２…半導体メモリ、２０…バックアップメモリ、３…光ディスク記録再生部、３１…光ディスク、３２…ピックアップ部、３３…ディスク ロック手段、４…信号処理手段、４１…ＣＯＤＥＣ、４２…ＭＰＵ、５…電源、６…システム制御手段、７…予備電源、８…電源制御部、８０…電力供給先選択手段、９…信号入力手段、９１…マイク、９２…ＡＤＣ、９３…ＣＣＤセンサ、９４…ＤＳＰ、１００…バッテリ、１１０…機能付バッテリ、１１０１…バッテリ制御部。
【図１】
2007004971.tif 000003
【図２】
2007004971.tif 000004
【図３】
2007004971.tif 000005
【図４】
2007004971.tif 000006
【図５】
2007004971.tif 000007
【図６】
2007004971.tif 000008
【図７】
2007004971.tif 000009
【図８】
2007004971.tif 000010
【図９】
2007004971.tif 000011
【図１０】
2007004971.tif 000012
【図１１】
2007004971.tif 000013
【図１２】
2007004971.tif 000014
【図１３】
2007004971.tif 000015
【図１４】
2007004971.tif 000016
【図１５】
2007004971.tif 000017
【図１６】
2007004971.tif 000018
【図１７】
2007004971.tif 000019
【図１８】
2007004971.tif 000020
【図１９】
2007004971.tif 000021
【図２０】
2007004971.tif 000022
【図２１】
2007004971.tif 000023
【図２２】
2007004971.tif 000024
【図２３】
2007004971.tif 000025
【図２４】
2007004971.tif 000026
【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
ＡＶ信号記録装置であって、
ＡＶ信号およびこのＡＶ信号の管理情報を記録する記録部と、
前記ＡＶ信号記録装置に所定の電力が供給されたとき、前記管理情報が記録完了したかを判断し、記録完了していないと判断すると、リカバリするかをユーザに選択させ、且つ、ユーザによってリカバリすると選択されたときには前記管理情報を生成して記録させる制御部とを有する。
【請求項２】
ＡＶ信号記録装置であって、
ＡＶ信号およびこのＡＶ信号の第１の管理情報を記録する第１記録部と、
ＡＶ信号の第２の管理情報を記録する第２記録部と、
前記ＡＶ信号記録装置に所定の電力が供給されたとき、前記第１の管理情報が記録完了したかを判断し、前記第１の管理情報が記録完了していないと判断すると、リカバリするかをユーザに選択させ、且つ、ユーザによってリカバリすると選択されたときには前記第２の管理情報により前記第１の管理情報を生成して前記第１記録部により記録させる制御部とを有する。
【請求項３】
請求項２のＡＶ信号記録装置であって、
前記第１記録部及び前記第２記録部は、同じ記録媒体に記録する。
【請求項４】
請求項２又は３のＡＶ信号記録装置であって、
前記制御部は、前記第１の管理情報が記録完了したかの判断を、ファイルオープン情報又はファイルクローズ情報の有無によって実行する。
【請求項５】
請求項２から４のいずれかに記載のＡＶ信号記録装置であって、
前記第１の管理情報は、記録媒体に分散して記憶され、
前記第２の管理情報は、記録アドレス又はエントリ又はデータサイズを含む。
【請求項６】
請求項２から５のいずれかに記載のＡＶ信号記録装置であって、
前記リカバリは、ＡＶ信号の記録中に電力供給が停止した場合に、前記第２の管理情報を記録媒体の正規の位置に前記第１の管理情報として記録し直すことを含む。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】変更
【補正の内容】
【００２７】
本発明は、上記した点に鑑みてなされたものであって、その目的とするところは、例えば、主電源またはバッテリが電力を供給できる状態に回復した後に、すぐにリカバリを行うか、リカバリを行わないかを選択できる映像音声記録再生装置を提供する事にある。
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】変更
【補正の内容】
【００３２】
上記目的は、例えば特許請求の範囲に記載の発明によって解決される。
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】削除
【補正の内容】
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】削除
【補正の内容】
【手続補正３４】
【補正対象書類名】明細書
【補正対象項目名】００４９
【補正方法】削除
【補正の内容】
【手続補正３５】
【補正対象書類名】明細書
【補正対象項目名】００５０
【補正方法】削除
【補正の内容】
【手続補正３６】
【補正対象書類名】明細書
【補正対象項目名】００５１
【補正方法】削除
【補正の内容】
【手続補正３７】
【補正対象書類名】明細書
【補正対象項目名】００５２
【補正方法】削除
【補正の内容】
【手続補正３８】
【補正対象書類名】明細書
【補正対象項目名】００５３
【補正方法】削除
【補正の内容】
【手続補正３９】
【補正対象書類名】明細書
【補正対象項目名】００５４
【補正方法】削除
【補正の内容】
【手続補正４０】
【補正対象書類名】明細書
【補正対象項目名】００５５
【補正方法】削除
【補正の内容】
【手続補正４１】
【補正対象書類名】明細書
【補正対象項目名】００５６
【補正方法】削除
【補正の内容】
【手続補正４２】
【補正対象書類名】明細書
【補正対象項目名】００５７
【補正方法】削除
【補正の内容】
【手続補正４３】
【補正対象書類名】明細書
【補正対象項目名】００５８
【補正方法】削除
【補正の内容】
【手続補正４４】
【補正対象書類名】明細書
【補正対象項目名】００５９
【補正方法】削除
【補正の内容】
【手続補正４５】
【補正対象書類名】明細書
【補正対象項目名】００６０
【補正方法】削除
【補正の内容】
【手続補正４６】
【補正対象書類名】明細書
【補正対象項目名】００６１
【補正方法】削除
【補正の内容】
【手続補正４７】
【補正対象書類名】明細書
【補正対象項目名】００６２
【補正方法】削除
【補正の内容】
【手続補正４８】
【補正対象書類名】明細書
【補正対象項目名】００６３
【補正方法】削除
【補正の内容】
【手続補正４９】
【補正対象書類名】明細書
【補正対象項目名】００６４
【補正方法】削除
【補正の内容】
【手続補正５０】
【補正対象書類名】明細書
【補正対象項目名】００６５
【補正方法】削除
【補正の内容】
【手続補正５１】
【補正対象書類名】明細書
【補正対象項目名】００６６
【補正方法】削除
【補正の内容】
【手続補正５２】
【補正対象書類名】明細書
【補正対象項目名】００６７
【補正方法】削除
【補正の内容】
【手続補正５３】
【補正対象書類名】明細書
【補正対象項目名】００６８
【補正方法】削除
【補正の内容】
【手続補正５４】
【補正対象書類名】明細書
【補正対象項目名】００６９
【補正方法】削除
【補正の内容】
【手続補正５５】
【補正対象書類名】明細書
【補正対象項目名】００７０
【補正方法】削除
【補正の内容】
【手続補正５６】
【補正対象書類名】明細書
【補正対象項目名】００７１
【補正方法】削除
【補正の内容】
【手続補正５７】
【補正対象書類名】明細書
【補正対象項目名】００７２
【補正方法】削除
【補正の内容】
【手続補正５８】
【補正対象書類名】明細書
【補正対象項目名】００７３
【補正方法】変更
【補正の内容】
【００７３】
例えば、主電源またはバッテリが電力を供給できる状態に回復した後に、すぐにリカバリを行うか、リカバリを行わないかを選択できるようにしたので、例えば、リカバリしないことによって節約された電力量を、映像音声の記録にまわして、より長時間の記録を行うことと、リカバリしないことによって、リカバリに必要な時間を節約し、より素早く記録を開始することを、選択できるという効果がある。
【手続補正５９】
【補正対象書類名】明細書
【補正対象項目名】００７４
【補正方法】削除
【補正の内容】
【手続補正６０】
【補正対象書類名】明細書
【補正対象項目名】００７５
【補正方法】削除
【補正の内容】
【手続補正６１】
【補正対象書類名】明細書
【補正対象項目名】００７６
【補正方法】削除
【補正の内容】
【手続補正６２】
【補正対象書類名】明細書
【補正対象項目名】００７７
【補正方法】削除
【補正の内容】
【手続補正６３】
【補正対象書類名】明細書
【補正対象項目名】０１８０
【補正方法】変更
【補正の内容】
【０１８０】
また、以上の実施例において、バックアップメモリ２０は、Ｄ−ＲＡＭやＳ−ＲＡＭなどが考えられるが、その他にハードディスクなどのデバイスを用いることでも実現でき、同様の効果が得られる。
なお、本実施例は以下の課題、解決手段、効果も含む。
本発明は、上記した点に鑑みてなされたものであって、その目的とするところは、ＡＶ信号の記録中に主電源が電力を供給できなくなった場合、予備電源を電源として用いて、ＡＶ信号の管理情報のうちデータサイズまたはエントリを選択して、一時的にデータ格納手段に書き込み保持することにより、少ない電力量で必要最小限の管理情報を保持する映像音声記録再生装置を提供する事にある。
本発明のさらに他の目的は、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録することにより、半導体メモリなどのデータ格納手段を用いなくても管理情報を記録することができ、上記のような緊急時のディスクへの管理情報記録を短い時間で完了させることができ、よってこの管理情報記録で消費する電力量を減らすことのできる映像音声記録再生装置を提供する事にある。
本発明のさらに他の目的は、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズまたはエントリを選択して、一時的にデータ格納手段に書き込み保持することにより、少ない電力量で必要最小限の管理情報を保持する映像音声記録再生装置を提供する事にある。
本発明のさらに他の目的は、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録することにより、半導体メモリなどのデータ格納手段を用いなくても管理情報を記録することができ、上記のような緊急時のディスクへの管理情報記録を短い時間で完了させることができ、よってこの管理情報記録で消費する電力量を減らすことのできる映像音声記録再生装置を提供する事にある。
本発明のさらに他の目的は、ＡＶ信号の記録中に主電源が電力を供給できなくなった場合、予備電源を電源として用いて、ＡＶ信号の管理情報のうちデータサイズまたはエントリを選択して、選択した管理情報を信号圧縮したうえで、一時的にデータ格納手段に書き込み保持することにより、データ格納手段の必要容量を減らすことができ、さらに少ない電力量で必要最小限の管理情報を保持する映像音声記録再生装置を提供する事にある。
本発明のさらに他の目的は、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを選択し、選択した管理情報を信号圧縮したうえで、ＡＶ信号に引き続き、記録媒体上の記録停止位置から最も近い領域に、映像音声記録再生手段が記録することにより、半導体メモリなどのデータ格納手段を用いなくても管理情報を記録することができ、上記のような緊急時のディスクへの管理情報記録を短い時間で完了させることができ、よってこの管理情報記録で消費する電力量を減らすことのできる映像音声記録再生装置を提供する事にある。
本発明のさらに他の目的は、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズまたはエントリを選択して、選択した管理情報を信号圧縮したうえで、一時的にデータ格納手段に書き込み保持することにより、データ格納手段の必要容量を減らすことができ、さらに少ない電力量で必要最小限の管理情報を保持する映像音声記録再生装置を提供する事にある。
本発明のさらに他の目的は、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを選択し、選択した管理情報を信号圧縮したうえで、ＡＶ信号に引き続き、記録媒体上の記録停止位置から最も近い領域に、映像音声記録再生手段が記録することにより、半導体メモリなどのデータ格納手段を用いなくても管理情報を記録することができ、上記のような緊急時のディスクへの管理情報記録をさらに短い時間で完了させることができ、よってこの管理情報記録で消費する電力量を減らすことのできる映像音声記録再生装置を提供する事にある。
本発明のさらに他の目的は、主電源が電力を供給できる状態に回復した後に、データ格納手段または記録媒体に保持または記録された必要最小限の管理情報を基に、必要ならば信号伸長を行い、正規の管理情報を再生成し、映像音声記録再生手段が正規の位置に正規管理情報を記録するリカバリを行うことにより、最後に記録したＡＶ信号を再生可能な状態にする映像音声記録再生装置を提供する事にある。
本発明のさらに他の目的は、バッテリが電力を供給できる状態に回復した後に、データ格納手段または記録媒体に保持または記録された必要最小限の管理情報を基に、必要ならば信号伸長を行い、正規の管理情報を再生成し、映像音声記録再生手段が正規の位置に正規管理情報を記録するリカバリを行うことにより、最後に記録したＡＶ信号を再生可能な状態にする映像音声記録再生装置を提供する事にある。
本発明のさらに他の目的は、主電源またはバッテリが電力を供給できる状態に回復した後に、すぐにリカバリを行うか、リカバリを行わないかを選択できる映像音声記録再生装置を提供する事にある。
本発明のさらに他の目的は、ＡＶ信号の記録中に、必要最小限の管理情報を記録するのに必要な電力量まで、バッテリの残り電力量が減少したことを、電源制御手段が検出した場合、少なくとも信号入力手段への電力供給を停止し、かつ、少なくともシステム制御手段への電力供給を継続することにより、より少ない電力で管理情報を保持または記録し、節約した電力により、より長い時間記録できる映像音声記録再生装置を提供する事にある。
本発明のさらに他の目的は、少なくとも必要最小限の管理情報のリカバリを行った後に、映像音声記録再生手段から記録媒体を取り出す事を可能にすることにより、リカバリを行う前に、誤って最後に記録したＡＶ信号に上書きしてしまうことのない映像音声記録再生装置を提供する事にある。
本発明のさらに他の目的は、記録媒体の記録状態を表す記録媒体情報を、一時的にデータ格納手段に保持するにより、記録媒体を取り出し他の記録装置で追加記録や上書き記録を行ったことを、容易に検出できる映像音声記録再生装置を提供する事にある。
本発明のさらに他の目的は、保持した記録媒体情報と記録媒体の記録状態が一致すれば、リカバリを行うようにすることにより、リカバリ前に記録媒体を取り出し、再度記録媒体をセットした場合にも、その記録媒体をリカバリすることができるか否かを容易に判断し、リカバリを行うことのできる映像音声記録再生装置を提供する事にある。
第１の本発明の映像音声記録再生装置は、映像音声記録再生手段と、データ格納手段と、主電源と、予備電源と、システム制御手段を備え、ＡＶ信号の記録中に主電源が電力を供給できなくなった場合、予備電源を電源として用いて、ＡＶ信号の管理情報のうちデータサイズを選択して、一時的にデータ格納手段に書き込み保持するようにシステム制御手段が制御するようになしたものである。
第２の本発明の映像音声記録再生装置は、映像音声記録再生手段と、データ格納手段と、主電源と、予備電源と、システム制御手段を備え、映像音声記録再生手段でＡＶ信号を記録中に、主電源が電力を供給できなくなった時点で、予備電源から電力を供給し、ＡＶ信号の管理情報のうちエントリを選択して、一時的にデータ格納手段に書き込むように、システム制御手段が制御するようになしたものである。
第３の本発明の映像音声記録再生装置は、映像音声記録再生手段と、主電源と、予備電源と、システム制御手段を備え、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録するように、システム制御手段が制御するようになしたものである。
第４の本発明の映像音声記録再生装置は、映像音声記録再生手段と、データ格納手段と、バッテリと、電源制御手段と、システム制御手段を備え、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズを選択して、一時的にデータ格納手段に書き込むように、システム制御手段が制御するようになしたものである。
第５の本発明の映像音声記録再生装置は、映像音声記録再生手段と、データ格納手段と、バッテリと、電源制御手段と、予備電源と、システム制御手段を備え、映像音声記録再生手段でＡＶ信号を記録中に、バッテリの残り電力量が、ＡＶ信号の管理情報のうち少なくともデータサイズを含む必要最小限の管理情報を記録するために必要な電力量まで減少したことを、電源制御手段が検出した時点で、ＡＶ信号の管理情報のうちデータサイズを選択して、一時的にデータ格納手段に書き込み、予備電源でバックアップするように、システム制御手段が制御するようになしたものである。
第６の本発明の映像音声記録再生装置は、映像音声記録再生手段と、データ格納手段と、バッテリと、電源制御手段と、システム制御手段を備え、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちエントリを選択して、一時的にデータ格納手段に書き込むように、システム制御手段が制御するようになしたものである。
第７の本発明の映像音声記録再生装置は、映像音声記録再生手段と、データ格納手段と、バッテリと、電源制御手段と、予備電源と、システム制御手段を備え、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちエントリを選択して、一時的にデータ格納手段に書き込み、予備電源でバックアップするように、システム制御手段が制御するようになしたものである。
第８の本発明の映像音声記録再生装置は、映像音声記録再生手段と、バッテリと、電源制御手段と、システム制御手段を備え、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録するように、システム制御手段が制御するようになしたものである。
第９の本発明の映像音声記録再生装置は、第１の本発明の映像音声記録再生装置において、信号圧縮手段を備え、信号圧縮手段がデータサイズを信号圧縮してから、一時的にデータ格納手段に書き込むように、システム制御手段が制御するようになしたものである。
第１０の本発明の映像音声記録再生装置は、第４または第５の本発明の映像音声記録再生装置において、信号圧縮手段を備え、信号圧縮手段がデータサイズを信号圧縮してから、一時的にデータ格納手段に書き込むように、システム制御手段が制御するようになしたものである。
第１１の本発明の映像音声記録再生装置は、第２の本発明の映像音声記録再生装置において、信号圧縮手段を備え、信号圧縮手段がエントリを信号圧縮してから、一時的にデータ格納手段に書き込むように、システム制御手段が制御するようになしたものである。
第１２の本発明の映像音声記録再生装置は、第３の本発明の映像音声記録再生装置において、信号圧縮手段を備え、信号圧縮手段がエントリを信号圧縮してから、一時的に記録媒体に書き込むように、システム制御手段が制御するようになしたものである。
第１３の本発明の映像音声記録再生装置は、第６または第７の本発明の映像音声記録再生装置において、信号圧縮手段を備え、信号圧縮手段がエントリを信号圧縮してから、一時的にデータ格納手段に書き込むように、システム制御手段が制御するようになしたものである。
第１４の本発明の映像音声記録再生装置は、第８の本発明の映像音声記録再生装置において、信号圧縮手段を備え、信号圧縮手段がエントリを信号圧縮してから、一時的に記録媒体に書き込むように、システム制御手段が制御するようになしたものである。
第１５の本発明の映像音声記録再生装置は、第１または第２の本発明の映像音声記録再生装置において、主電源が電力を供給できる状態に回復した後に、データ格納手段に保持された必要最小限の管理情報を基に、正規の管理情報を再生成し、映像音声記録再生手段が正規の位置に正規管理情報を記録するリカバリを行うようになしたものである。
第１６の本発明の映像音声記録再生装置は、第３の本発明の映像音声記録再生装置において、主電源が電力を供給できる状態に回復した後に、記録媒体に記録された必要最小限の管理情報を基に、正規の管理情報を再生成し、映像音声記録再生手段が正規の位置に正規管理情報を記録するリカバリを行うようになしたものである。
第１７の本発明の映像音声記録再生装置は、第４または第５または第６または第７の本発明の映像音声記録再生装置において、バッテリが電力を供給できる状態に回復した後に、データ格納手段に保持された必要最小限の管理情報を基に、正規の管理情報を再生成し、映像音声記録再生手段が正規の位置に正規管理情報を記録するリカバリを行うようになしたものである。
第１８の本発明の映像音声記録再生装置は、第８の本発明の映像音声記録再生装置において、バッテリが電力を供給できる状態に回復した後に、記録媒体に記録された必要最小限の管理情報を基に、正規の管理情報を再生成し、映像音声記録再生手段が正規の位置に正規管理情報を記録するリカバリを行うようになしたものである。
第１９の本発明の映像音声記録再生装置は、第９の本発明の映像音声記録再生装置において、信号伸長手段を備え、主電源が電力を供給できる状態に回復した後に、データ格納手段に格納された必要最小限の管理情報を、信号伸長手段で伸長し、伸長した信号を基に、正規の管理情報を再生成し、映像音声記録再生手段が正規の位置に正規管理情報を記録するリカバリを行うようになしたものである。
第２０の本発明の映像音声記録再生装置は、第１０の本発明の映像音声記録再生装置において、信号伸長手段を備え、バッテリが電力を供給できる状態に回復した後に、データ格納手段に保持された必要最小限の管理情報を基に、正規の管理情報を再生成し、映像音声記録再生手段が正規の位置に正規管理情報を記録するリカバリを行うようになしたものである。
第２１の本発明の映像音声記録再生装置は、第１１の本発明の映像音声記録再生装置において、信号伸長手段を備え、主電源が電力を供給できる状態に回復した後に、データ格納手段に保持された必要最小限の管理情報を、信号伸長手段で伸長し、伸長した管理情報を基に、正規の管理情報を再生成し、映像音声記録再生手段が正規の位置に正規管理情報を記録するリカバリを行うようになしたものである。
第２２の本発明の映像音声記録再生装置は、第１２の本発明の映像音声記録再生装置において、信号伸長手段を備え、主電源が電力を供給できる状態に回復した後に、記録媒体に記録された必要最小限の管理情報を、信号伸長手段で伸長し、伸長した管理情報を基に、正規の管理情報を再生成し、映像音声記録再生手段が正規の位置に正規管理情報を記録するリカバリを行うようになしたものである。
第２３の本発明の映像音声記録再生装置は、第１３の本発明の映像音声記録再生装置において、信号伸長手段を備え、バッテリが電力を供給できる状態に回復した後に、データ格納手段に保持された必要最小限の管理情報を、信号伸長手段で伸長し、伸長した信号を基に、正規の管理情報を再生成し、映像音声記録再生手段が正規の位置に正規管理情報を記録するリカバリを行うようになしたものである。
第２４の本発明の映像音声記録再生装置は、第１４の本発明の映像音声記録再生装置において、信号伸長手段を備え、バッテリが電力を供給できる状態に回復した後に、記録媒体に記録された必要最小限の管理情報を、信号伸長手段で伸長し、伸長した信号を基に、正規の管理情報を再生成し、映像音声記録再生手段が正規の位置に正規管理情報を記録するリカバリを行うようになしたものである。
第２５の本発明の映像音声記録再生装置は、第１５または第１６または第１９または第２１または第２２の本発明の映像音声記録再生装置において、主電源が電力を供給できる状態に回復したことを、電源制御手段が検出した後に、リカバリを行うか、リカバリを行わないかを選択できるようになしたものである。
第２６の本発明の映像音声記録再生装置は、第１７または第１８または第２０または第２３または第２４の本発明の映像音声記録再生装置において、少なくとも、正規の管理情報を記録するのに必要な電力量以上に、バッテリの残り電力量が回復したことを、電源制御手段が検出した後に、リカバリを行うか、リカバリを行わないかを選択できるようになしたものである。
第２７の本発明の映像音声記録再生装置は、第４または第５または第６または第７または第８または第１０または第１３または第１４の本発明の映像音声記録再生装置において、電力供給先選択手段を備え、映像音声記録再生手段でＡＶ信号を記録中に、ＡＶ信号の必要最小限の管理情報を記録するのに必要な電力量まで、バッテリの残り電力量が減少したことを、電源制御手段が検出した場合、信号入力手段への電力供給を停止し、かつ、少なくとも映像音声記録再生手段への電力供給を継続するよう、電力供給先を電力供給先選択手段が切り換えるようになしたものである。
第２８の本発明の映像音声記録再生装置は、第１５または第１６または第１７または第１８または第１９または第２０または第２１または第２２または第２３または第２４の本発明の映像音声記録再生装置において、記録媒体の取り出しを制御する記録媒体取り出し制御手段を備え、少なくとも必要最小限の管理情報のリカバリを行った後に、映像音声記録再生手段から記録媒体を取り出す事が可能となるように、記録媒体取り出し制御手段をシステム制御手段が制御するようになしたものである。
第２９の本発明の映像音声記録再生装置は、第１または第２または第４または第５または第６または第７の本発明の映像音声記録再生装置において、記録媒体のＩＤ情報や最終記録日時などの記録媒体情報を、一時的にデータ格納手段に書き込むようになしたものである。
第３０の本発明の映像音声記録再生装置は、第３または第８の本発明の映像音声記録再生装置において、データ格納手段を備え、記録媒体のＩＤ情報や最終記録日時などの記録媒体情報を、一時的にデータ格納手段に書き込むようになしたものである。
第３１の本発明の映像音声記録再生装置は、第２９または第３０の本発明の映像音声記録再生装置において、データ格納手段に書き込んだ第１の記録媒体情報と、映像音声記録再生手段で記録再生する記録媒体の第２の記録媒体情報が一致すれば、リカバリを行うようになしたものである。
本発明によれば、ＡＶ信号の記録中に主電源が電力を供給できなくなった場合、予備電源を電源として用いて、ＡＶ信号の管理情報のうちデータサイズまたはエントリを選択して、一時的にデータ格納手段に書き込み保持するようにしたので、少ない電力量で管理情報を保持または記録することができるという効果がある。
また、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録するようにしたので、メモリなどのデータ格納手段を用いなくても管理情報を記録することができ、上記のような緊急時のディスクへの管理情報記録を短い時間で完了させることができ、よってこの管理情報記録で消費する電力量を減らすことができるという効果がある。
また、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズまたはエントリを選択して、一時的にデータ格納手段に書き込み保持するようにしたので、少ない電力量で必要最小限の管理情報を保持するという効果がある。
また、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを、ＡＶ信号に引き続き、記録媒体上の記録停止位置から最も近い領域に、映像音声記録再生手段が記録するようにしたので、メモリなどのデータ格納手段を用いなくても管理情報を記録することができ、上記のような緊急時のディスクへの管理情報記録を短い時間で完了させることができ、よってこの管理情報記録で消費する電力量を減らすことができ、減らした電力量の分だけＡＶ信号の記録時間を延ばすことができるという効果がある。
また、ＡＶ信号の記録中に主電源が電力を供給できなくなった場合、予備電源を電源として用いて、ＡＶ信号の管理情報のうちデータサイズまたはエントリを選択して、選択した管理情報を信号圧縮したうえで、一時的にデータ格納手段に書き込み保持するようにしたので、データ格納手段の必要容量を減らすことができ、さらに少ない電力量で必要最小限の管理情報を保持するという効果がある。
また、映像音声記録再生手段でＡＶ信号を記録中に、主電源が電力を供給できなくなった時点で、予備電源から電力を供給し、自動的にＡＶ信号の記録を停止し、最後に記録したＡＶ信号の管理情報のうちエントリを選択し、選択した管理情報を信号圧縮したうえで、ＡＶ信号に引き続き、記録媒体上の記録停止位置から最も近い領域に、映像音声記録再生手段が記録するようにしたので、メモリなどのデータ格納手段を用いなくても管理情報を記録することができ、上記のような緊急時のディスクへの管理情報記録を短い時間で完了させることができ、よってこの管理情報記録で消費する電力量を減らすことができるという効果がある。
また、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、ＡＶ信号の管理情報のうちデータサイズまたはエントリを選択して、選択した管理情報を信号圧縮したうえで、一時的にデータ格納手段に書き込み保持するようにしたので、データ格納手段の必要容量を減らすことができ、さらに少ない電力量で必要最小限の管理情報を保持するという効果がある。
また、映像音声記録再生手段でＡＶ信号を記録中に、バッテリの残り電力量が、ＡＶ信号の管理情報のうち必要最小限の管理情報を記録するために必要な電力量まで減少したことを、電源制御手段が検出した時点で、自動的にＡＶ信号の記録を停止し、最後に記録したＡＶ信号の管理情報のうちエントリを選択し、選択した管理情報を信号圧縮したうえで、ＡＶ信号に引き続き、記録媒体上の記録停止位置から最も近い領域に、映像音声記録再生手段が記録するようにしたので、メモリなどのデータ格納手段を用いなくても管理情報を記録することができ、上記のような緊急時のディスクへの管理情報記録をさらに短い時間で完了させることができ、よってこの管理情報記録で消費する電力量を減らすことのできるという効果がある。
また、主電源が電力を供給できる状態に回復した後に、データ格納手段または記録媒体に保持または記録された必要最小限の管理情報を基に、必要ならば信号伸長を行い、正規の管理情報を再生成し、映像音声記録再生手段が正規の位置に正規管理情報を記録するリカバリを行うようにしたので、最後に記録したＡＶ信号を再生可能な状態にするという効果がある。
また、バッテリが電力を供給できる状態に回復した後に、データ格納手段または記録媒体に保持または記録された必要最小限の管理情報を基に、必要ならば信号伸長を行い、正規の管理情報を再生成し、映像音声記録再生手段が正規の位置に正規管理情報を記録するリカバリを行うようにしたので、最後に記録したＡＶ信号を再生可能な状態にするという効果がある。
また、主電源またはバッテリが電力を供給できる状態に回復した後に、すぐにリカバリを行うか、リカバリを行わないかを選択できるようにしたので、リカバリしないことによって節約された電力量を、映像音声の記録にまわして、より長時間の記録を行うことと、リカバリしないことによって、リカバリに必要な時間を節約し、より素早く記録を開始することを、選択できるという効果がある。
また、ＡＶ信号の記録中に、必要最小限の管理情報を記録するのに必要な電力量まで、バッテリの残り電力量が減少したことを、電源制御手段が検出した場合、少なくとも信号入力手段への電力供給を停止し、かつ、少なくともシステム制御手段への電力供給を継続するようにしたので、より少ない電力で管理情報を保持または記録し、節約した電力により、より長い時間記録できるという効果がある。
また、少なくとも必要最小限の管理情報のリカバリを行った後に、映像音声記録再生手段から記録媒体を取り出す事を可能にするようにしたので、リカバリを行う前に、誤って最後に記録したＡＶ信号に上書きしてしまうことがないという効果がある。
また、記録媒体の記録状態を表す記録媒体情報を、一時的にデータ格納手段に書き込むようにしたので、記録媒体を取り出して他の記録装置で追加記録や上書き記録を行った場合に、それを容易に検出できるという効果がある。
また、記録媒体情報と記録媒体の記録状態が一致すれば、リカバリを行うようにしたので、リカバリ前に記録媒体を取り出し、再度記録媒体をセットした場合にも、その記録媒体をリカバリすることができるか否かを容易に判断し、リカバリを行うことができるという効果がある。